(57)【特許請求の範囲】
【請求項１】
Standard Definition Televisionの所定の規格に従ったSD信号、または、High-Definition Televisionの所定の規格に従ったHD信号が入力された場合、前記SD信号または前記HD信号を、前記SD信号及び前記HD信号のフォーマットとは別の所定のフォーマットの信号に変換する変換手段
を備え、
前記変換手段は、
入力された前記HD信号に対してダウンコンバート処理を施して、その結果得られるSD信号を出力するダウンコンバート手段と、
入力された前記SD信号、または、前記ダウンコンバート手段から出力された前記SD信号に対して、画サイズを変更する処理を施し、その結果得られる画サイズ変更信号を出力する画サイズ変更手段と、
前記画サイズ変更手段から出力された前記画サイズ変更信号に対して圧縮符号化処理を施し、その結果得られる信号を前記所定のフォーマットの信号として出力する圧縮符号化手段と
を有する情報処理装置。
【請求項２】
前記変換手段は、
入力された前記SD信号に対してアップコンバート処理を施して、その結果得られるHD信号を出力するアップコンバート手段と、
入力された前記HD信号、または、前記アップコンバート手段から出力された前記HD信号に対して、画サイズを変更する処理を施し、その結果得られる画サイズ変更信号を出力する画サイズ変更手段と、
前記画サイズ変更手段から出力された前記画サイズ変更信号に対して圧縮符号化処理を施し、その結果得られる信号を前記所定のフォーマットの信号として出力する圧縮符号化手段と
を有する請求項１に記載の情報処理装置。
【請求項３】
前記変換手段は、
入力された第１の画サイズの前記SD信号に対して、その画サイズを前記第１の画サイズから第２の画サイズに変更する処理を施し、その結果得られる前記第２の画サイズの画サイズ変更信号を出力する第１の画サイズ変更手段と、
入力された第３の画サイズの前記HD信号に対して、その画サイズを前記第３の画サイズから前記第２の画サイズに変更する処理を施し、その結果得られる前記第２の画サイズの画サイズ変更信号を出力する第２の画サイズ変更手段と、
前記第１の画サイズ変更手段または前記第２の画サイズ変更手段から出力された前記画サイズ変更信号に対して圧縮符号化処理を施し、その結果得られる信号を前記所定のフォーマットの信号として出力する圧縮符号化手段と
を有する請求項１に記載の情報処理装置。
【請求項４】
Standard Definition Televisionの所定の規格に従ったSD信号、または、High-Definition Televisionの所定の規格に従ったHD信号が入力された場合、前記SD信号または前記HD信号を、前記SD信号及び前記HD信号のフォーマットとは別の所定のフォーマットの信号に変換し、
前記変換に際して、
入力された前記HD信号に対してダウンコンバート処理を施して、その結果得られるSD信号を出力し、
入力された前記SD信号、または、出力された前記SD信号に対して、画サイズを変更する処理を施し、その結果得られる画サイズ変更信号を出力し、
出力された前記画サイズ変更信号に対して圧縮符号化処理を施し、その結果得られる信号を前記所定のフォーマットの信号として出力する
ステップを含む情報処理方法。
【請求項５】
Standard Definition Televisionの所定の規格に従ったSD信号、または、High-Definition Televisionの所定の規格に従ったHD信号が入力された場合、前記SD信号または前記HD信号を、前記SD信号及び前記HD信号のフォーマットとは別の所定のフォーマットの信号に変換し、
前記変換に際して、
入力された前記HD信号に対してダウンコンバート処理を施して、その結果得られるSD信号を出力し、
入力された前記SD信号、または、出力された前記SD信号に対して、画サイズを変更する処理を施し、その結果得られる画サイズ変更信号を出力し、
出力された前記画サイズ変更信号に対して圧縮符号化処理を施し、その結果得られる信号を前記所定のフォーマットの信号として出力する
ステップを含む処理をコンピュータに実行させるプログラム。
【請求項６】
Standard Definition Televisionの所定の規格に従ったSD信号、または、High-Definition Televisionの所定の規格に従ったHD信号から変換された、前記SD信号及び前記HD信号のフォーマットとは別の所定のフォーマットの信号が入力された場合、前記所定のフォーマットの信号から前記SD信号または前記HD信号に逆変換する逆変換手段
を備え、
前記所定のフォーマットの信号は、第１の画サイズの前記SD信号、または、前記HD信号に対してダウンコンバート処理が施された結果得られる前記第１の画サイズのSD信号に対して、その画サイズを前記第１の画像サイズから第２の画サイズに変更する処理が施され、さらに、その結果得られる前記第２の画サイズの画サイズ変更信号に対して圧縮符号化処理が施された結果得られる信号であり、
前記逆変換手段は、
前記所定のフォーマットの信号に対して伸張復号処理を施し、その結果得られる前記画サイズ変更信号を出力する伸張復号手段と、
前記伸張復号手段から出力された前記画サイズ変更信号に対して、その画サイズを前記第２の画像サイズから前記第１の画サイズに逆変更する処理を施し、その結果得られるSD信号を出力する画サイズ逆変換手段と、
前記画サイズ逆変換手段から出力された前記SD信号が、前記HD信号に対して前記ダウンコンバート処理が施された結果得られる前記SD信号に対応している場合、前記画サイズ逆変換手段から出力された前記SD信号に対してアップコンバート処理を施し、その結果得られるHD信号を出力するアップコンバート手段と
を有する情報処理装置。
【請求項７】
前記所定のフォーマットの信号は、第１の画サイズの前記HD信号、または、前記SD信号に対してアップコンバート処理が施された結果得られる前記第１の画サイズのHD信号に対して、その画サイズを前記第１の画像サイズから第２の画サイズに変更する処理が施され、さらに、その結果得られる前記第２の画サイズの画サイズ変更信号に対して圧縮符号化処理が施された結果得られる信号であり、
前記逆変換手段は、
前記所定のフォーマットの信号に対して伸張復号処理を施し、その結果得られる前記画サイズ変更信号を出力する伸張復号手段と、
前記伸張復号手段から出力された前記画サイズ変更信号に対して、その画サイズを前記第２の画像サイズから前記第１の画サイズに逆変更する処理を施し、その結果得られるHD信号を出力する画サイズ逆変換手段と、
前記画サイズ逆変換手段から出力された前記HD信号が、前記SD信号に対して前記アップコンバート処理が施された結果得られる前記HD信号に対応している場合、前記画サイズ逆変換手段から出力された前記HD信号に対してダウンコンバート処理を施し、その結果得られるSD信号を出力するダウンコンバート手段と
を有する請求項６に記載の情報処理装置。
【請求項８】
前記所定のフォーマットの信号は、第１の画サイズの前記SD信号に対して、その画サイズを前記第１の画像サイズから第２の画サイズに変更する処理が施された結果得られる前記第２の画サイズの画サイズ変更信号、または、第３の画サイズの前記HD信号に対して、
その画サイズを前記第３の画像サイズから前記第２の画サイズに変更する処理が施された結果得られる前記第２の画サイズの画サイズ変更信号に対して圧縮符号化処理が施された結果得られる信号であり、
前記逆変換手段は、
前記所定のフォーマットの信号に対して伸張復号処理を施し、その結果得られる前記画サイズ変更信号を出力する伸張復号手段と、
前記伸張復号手段から出力された前記画サイズ変更信号が、前記SD信号から変更された前記画サイズ変更信号に対応する場合、前記伸張復号手段から出力された前記画サイズ変更信号に対して、その画サイズを前記第２の画像サイズから前記第１の画サイズに逆変更する処理を施し、その結果得られるSD信号を出力する第１の画サイズ逆変換手段と、
前記伸張復号手段から出力された前記画サイズ変更信号が、前記HD信号から変更された前記画サイズ変更信号に対応する場合、前記伸張復号手段から出力された前記画サイズ変更信号に対して、その画サイズを前記第２の画像サイズから前記第３の画サイズに逆変更する処理を施し、その結果得られるHD信号を出力する第２の画サイズ逆変換手段と
を有する請求項６に記載の情報処理装置。
【請求項９】
Standard Definition Televisionの所定の規格に従ったSD信号、または、High-Definition Televisionの所定の規格に従ったHD信号から変換された、前記SD信号及び前記HD信号のフォーマットとは別の所定のフォーマットの信号が入力された場合、前記所定のフォーマットの信号から前記SD信号または前記HD信号に逆変換する
ステップを含み、
前記所定のフォーマットの信号は、第１の画サイズの前記SD信号、または、前記HD信号に対してダウンコンバート処理が施された結果得られる前記第１の画サイズのSD信号に対して、その画サイズを前記第１の画像サイズから第２の画サイズに変更する処理が施され、さらに、その結果得られる前記第２の画サイズの画サイズ変更信号に対して圧縮符号化処理が施された結果得られる信号であり、
前記逆変換に際して、
前記所定のフォーマットの信号に対して伸張復号処理を施し、その結果得られる前記画サイズ変更信号を出力し、
出力された前記画サイズ変更信号に対して、その画サイズを前記第２の画像サイズから前記第１の画サイズに逆変更する処理を施し、その結果得られるSD信号を出力し、
出力された前記SD信号が、前記HD信号に対して前記ダウンコンバート処理が施された結果得られる前記SD信号に対応している場合、出力された前記SD信号に対してアップコンバート処理を施し、その結果得られるHD信号を出力する
ステップを含む情報処理方法。
【請求項１０】
Standard Definition Televisionの所定の規格に従ったSD信号、または、High-Definition Televisionの所定の規格に従ったHD信号から変換された、前記SD信号及び前記HD信号のフォーマットとは別の所定のフォーマットの信号が入力された場合、前記所定のフォーマットの信号から前記SD信号または前記HD信号に逆変換する
ステップを含み、
前記所定のフォーマットの信号は、第１の画サイズの前記SD信号、または、前記HD信号に対してダウンコンバート処理が施された結果得られる前記第１の画サイズのSD信号に対して、その画サイズを前記第１の画像サイズから第２の画サイズに変更する処理が施され、さらに、その結果得られる前記第２の画サイズの画サイズ変更信号に対して圧縮符号化処理が施された結果得られる信号であり、
前記逆変換に際して、
前記所定のフォーマットの信号に対して伸張復号処理を施し、その結果得られる前記画サイズ変更信号を出力し、
出力された前記画サイズ変更信号に対して、その画サイズを前記第２の画像サイズから前記第１の画サイズに逆変更する処理を施し、その結果得られるSD信号を出力し、
出力された前記SD信号が、前記HD信号に対して前記ダウンコンバート処理が施された結果得られる前記SD信号に対応している場合、出力された前記SD信号に対してアップコンバート処理を施し、その結果得られるHD信号を出力する
ステップを含む処理をコンピュータに実行させるプログラム。
【請求項１１】
Standard Definition Televisionの所定の規格に従ったSD信号、または、High-Definition Televisionの所定の規格に従ったHD信号を、前記SD信号及び前記HD信号のフォーマットとは別の所定のフォーマットの信号に変換して出力する変換手段と、
前記変換手段から出力された前記所定のフォーマットの信号を送信する送信手段と
を備え、
前記変換手段は、
入力された前記HD信号に対してダウンコンバート処理を施して、その結果得られるSD信号を出力するダウンコンバート手段と、
入力された前記SD信号、または、前記ダウンコンバート手段から出力された前記SD信号に対して、画サイズを変更する処理を施し、その結果得られる画サイズ変更信号を出力する画サイズ変更手段と、
前記画サイズ変更手段から出力された前記画サイズ変更信号に対して圧縮符号化処理を施し、その結果得られる信号を前記所定のフォーマットの信号として出力する圧縮符号化手段と
を有する送信装置。
【請求項１２】
信号を送信する送信装置の送信方法において、
Standard Definition Televisionの所定の規格に従ったSD信号、または、High-Definition Televisionの所定の規格に従ったHD信号を、前記SD信号及び前記HD信号のフォーマットとは別の所定のフォーマットの信号に変換し、
その所定のフォーマットの信号を前記送信装置が送信することを制御し、
前記変換に際して、
入力された前記HD信号に対してダウンコンバート処理を施して、その結果得られるSD信号を出力し、
入力された前記SD信号、または、出力された前記SD信号に対して、画サイズを変更する処理を施し、その結果得られる画サイズ変更信号を出力し、
出力された前記画サイズ変更信号に対して圧縮符号化処理を施し、その結果得られる信号を前記所定のフォーマットの信号として出力する
ステップを含む送信方法。
【請求項１３】
信号を送信する装置を制御するコンピュータに実行させるプログロムであって、
Standard Definition Televisionの所定の規格に従ったSD信号、または、High-Definition Televisionの所定の規格に従ったHD信号を、前記SD信号及び前記HD信号のフォーマットとは別の所定のフォーマットの信号に変換し、
その所定のフォーマットの信号を前記装置が送信することを制御し、
前記変換に際して、
入力された前記HD信号に対してダウンコンバート処理を施して、その結果得られるSD信号を出力し、
入力された前記SD信号、または、出力された前記SD信号に対して、画サイズを変更する処理を施し、その結果得られる画サイズ変更信号を出力し、
出力された前記画サイズ変更信号に対して圧縮符号化処理を施し、その結果得られる信号を前記所定のフォーマットの信号として出力する
ステップを含むプログラム。
【請求項１４】
Standard Definition Televisionの所定の規格に従ったSD信号、または、High-Definition Televisionの所定の規格に従ったHD信号を、前記SD信号及び前記HD信号のフォーマットとは別の所定のフォーマットの信号に変換して出力する変換手段と、
前記変換手段から出力された前記所定のフォーマットの信号を、所定の記録媒体に記録する制御を行う記録制御手段と
を備え、
前記変換手段は、
入力された前記HD信号に対してダウンコンバート処理を施して、その結果得られるSD信号を出力するダウンコンバート手段と、
入力された前記SD信号、または、前記ダウンコンバート手段から出力された前記SD信号に対して、画サイズを変更する処理を施し、その結果得られる画サイズ変更信号を出力する画サイズ変更手段と、
前記画サイズ変更手段から出力された前記画サイズ変更信号に対して圧縮符号化処理を施し、その結果得られる信号を前記所定のフォーマットの信号として出力する圧縮符号化手段と
を有する記録装置。
【請求項１５】
前記SD信号に対して圧縮符号化処理を施し、その結果得られる圧縮符号化SD信号を出力するSD圧縮符号化手段をさらに備え、
前記記録制御手段は、前記変換手段により前記SD信号から変換された前記所定のフォーマットの信号とともに、前記SD圧縮符号化手段から出力された前記圧縮符号化SD信号を、前記所定の記録媒体に記録する制御を行う
請求項１４に記載の記録装置。
【請求項１６】
前記HD信号に対して圧縮符号化処理を施し、その結果得られる圧縮符号化HD信号を出力するHD圧縮符号化手段をさらに備え、
前記記録制御手段は、前記変換手段により前記HD信号から変換された前記所定のフォーマットの信号とともに、前記HD圧縮符号化手段から出力された前記圧縮符号化HD信号を、前記所定の記録媒体に記録する制御を行う
請求項１４に記載の記録装置。
【請求項１７】
所定の記録媒体に信号を記録する記録装置の記録方法において、
Standard Definition Televisionの所定の規格に従ったSD信号、または、High-Definition Televisionの所定の規格に従ったHD信号を、前記SD信号及び前記HD信号のフォーマットとは別の所定のフォーマットの信号に変換し、
前記所定のフォーマットの信号を、前記所定の記録媒体に記録する制御を行い、
前記変換に際して、
入力された前記HD信号に対してダウンコンバート処理を施して、その結果得られるSD信号を出力し、
入力された前記SD信号、または、出力された前記SD信号に対して、画サイズを変更する処理を施し、その結果得られる画サイズ変更信号を出力し、
出力された前記画サイズ変更信号に対して圧縮符号化処理を施し、その結果得られる信号を前記所定のフォーマットの信号として出力する
ステップを含む記録方法。
【請求項１８】
所定の記録媒体に信号を記録する処理を制御するコンピュータに実行させるプログラムであって、
Standard Definition Televisionの所定の規格に従ったSD信号、または、High-Definition Televisionの所定の規格に従ったHD信号を、前記SD信号及び前記HD信号のフォーマットとは別の所定のフォーマットの信号に変換し、
前記所定のフォーマットの信号を、前記所定の記録媒体に記録する制御を行い、
前記変換に際して、
入力された前記HD信号に対してダウンコンバート処理を施して、その結果得られるSD信号を出力し、
入力された前記SD信号、または、出力された前記SD信号に対して、画サイズを変更する処理を施し、その結果得られる画サイズ変更信号を出力し、
出力された前記画サイズ変更信号に対して圧縮符号化処理を施し、その結果得られる信号を前記所定のフォーマットの信号として出力する
ステップを含むプログラム。
【発明の詳細な説明】
【技術分野】
【０００１】
本発明は、情報処理装置および方法、記録装置および方法、再生装置および方法、並びにプログラムに関し、特に、SD用Proxy信号とHD用Proxy信号とを共通フォーマットで取り扱えるようにし、ひいては、回路規模を抑制できるようにする、情報処理装置および方法、記録装置および方法、再生装置および方法、並びにプログラムに関する。
【背景技術】
【０００２】
従来、放送局等で利用される光ディスク記録再生装置（例えば特許文献1参照）では、撮像により得られたコンテンツのオリジナルの信号として、NTSC（National Television System Committee）等の標準テレビジョン放送（Standard Definition Television）の規格、即ち、近年登場してきた高精細度テレビジョン放送（High-Definition Television）の規格に対する従来の規格に従ったベースバンド信号（以下、SD信号と称する）を対象としていた。
【０００３】
この場合、従来の光ディスク記録再生装置は、コンテンツのオリジナル信号であるSD信号を、例えばMPEG（Moving Picture Experts Group）方式で圧縮符号化（エンコード）し、その結果得られる信号（以下、SD本線映像信号と称する）を光ディスクに記録することができた。また、光ディスク記録再生装置は、光ディスクに記録されたSD本線映像信号を再生すること、即ち、それを読み出して伸張復号し、その結果得られるSD信号を出力することもできた。
【０００４】
さらに、従来の光ディスク記録再生装置の中には、光ディスクへの記録再生の対象として、所定のコンテンツについてのSD本線映像信号だけでなく、その所定のコンテンツについてのProxy信号も取り扱うことができる装置も存在した。
【０００５】
Proxy信号とは、コンテンツの編集を行う場合に、SD本線映像信号の代理として利用される信号であって、例えば簡易的な編集が可能となるように生成された信号の総称をいう。
【０００６】
例えば、SD本線映像信号と比較して、その画サイズを小さくするように生成された信号がProxy信号のひとつの種類である。この種類のProxy信号（以下、画サイズ縮小タイプProxy信号と称する）は、SD本線映像信号と比較して、データ量が少ないという特徴を有しており、かかる特徴により簡易的な編集が可能となる。
【０００７】
また、SD信号に対するエンコード処理がGOP（Group of Picture）単位で施された結果得られる信号がSD本線映像信号であるが、その代わりに、SD信号に対するエンコード処理がフレーム単位で施された結果得られる信号もまた、Proxy信号のひとつの種類である。ここでいうフレーム単位のエンコード処理とは、SD信号を構成する全フレームについて、自分自身のみを利用してエンコードする処理、即ち、他のフレーム（前後のフレーム等）を利用せずにエンコードする処理のことをいう。ここでいうフレーム単位のエンコード処理は、イントラ圧縮と称されることもある。従って、SD本線映像信号では、Ｉピクチャ以外のPピクチャやBピクチャをデコードするためには、対応するGOPに含まれる他のフレームが必須とされていた。これに対して、イントラ圧縮により得られたProxy信号（以下、かかる種類のProxy信号を、イントラ圧縮タイプProxy信号と称する）は、Ｉピクチャと同様に自身のフレームのみでデコードできるという特徴、即ち、フレーム単位でデコードできるという特徴を有しており、かかる特徴により簡易的な編集が可能となる。
【０００８】
さらに、近年、撮像により得られたコンテンツのオリジナルの信号として、上述した高精細度テレビジョン放送（High-Definition Television）の規格に従ったベースバンド信号（以下、HD信号と称する）も、光ディスクへ記録再生しようとする傾向が著しくなってきた。
【０００９】
その結果、上述した従来のSD用Proxy信号の他さらに、HD用Proxy信号も利用したいという要望が近年挙げられはじめている。
【特許文献１】特開２００４−６２９５０号公報
【発明の開示】
【発明が解決しようとする課題】
【００１０】
しかしながら、かかる要望に応えるための手法としては、SD用Proxy信号を取り扱うブロック（回路等）とは別に、HD用Proxy信号を取り扱うブロック（回路等）を、従来の光ディスク記録再生装置に新たに搭載させる、といった手法程度しか現状見受けられない。かかる従来の手法では、光ディスク記録再生装置の回路規模が増大するという問題点や、HD用Proxy信号のフォーマットと、SD用Proxy信号のフォーマットとが異なるという問題点が発生してしまう。
【００１１】
本発明は、このような状況に鑑みてなされたものであり、SD用Proxy信号とHD用Proxy信号とを共通フォーマットで取り扱えるようにし、ひいては、回路規模を抑制できるようにするものである。
【課題を解決するための手段】
【００１２】
本発明の一側面の第１の情報処理装置は、Standard Definition Televisionの所定の規格に従ったSD信号、または、High-Definition Televisionの所定の規格に従ったHD信号が入力された場合、前記SD信号または前記HD信号を、前記SD信号及び前記HD信号のフォーマットとは別の所定のフォーマットの信号に変換する変換手段を備え、前記変換手段は、入力された前記HD信号に対してダウンコンバート処理を施して、その結果得られるSD信号を出力するダウンコンバート手段と、入力された前記SD信号、または、前記ダウンコンバート手段から出力された前記SD信号に対して、画サイズを変更する処理を施し、その結果得られる画サイズ変更信号を出力する画サイズ変更手段と、前記画サイズ変更手段から出力された前記画サイズ変更信号に対して圧縮符号化処理を施し、その結果得られる信号を前記所定のフォーマットの信号として出力する圧縮符号化手段とを有する。
【００１４】
前記変換手段は、入力された前記SD信号に対してアップコンバート処理を施して、その結果得られるHD信号を出力するアップコンバート手段と、入力された前記HD信号、または、前記アップコンバート手段から出力された前記HD信号に対して、画サイズを変更する処理を施し、その結果得られる画サイズ変更信号を出力する画サイズ変更手段と、前記画サイズ変更手段から出力された前記画サイズ変更信号に対して圧縮符号化処理を施し、その結果得られる信号を前記所定のフォーマットの信号として出力する圧縮符号化手段とを有する。
【００１５】
前記変換手段は、入力された第１の画サイズの前記SD信号に対して、その画サイズを前記第１の画サイズから前記第２の画サイズに変更する処理を施し、その結果得られる前記第２の画サイズの画サイズ変更信号を出力する第１の画サイズ変更手段と、入力された第３の画サイズの前記HD信号に対して、その画サイズを前記第３の画サイズから前記第２の画サイズに変更する処理を施し、その結果得られる前記第２の画サイズの画サイズ変更信号を出力する第２の画サイズ変更手段と、前記第１の画サイズ変更手段または前記第２の画サイズ変更手段から出力された前記画サイズ変更信号に対して圧縮符号化処理を施し、その結果得られる信号を前記所定のフォーマットの信号として出力する圧縮符号化手段とを有する。
【００１６】
本発明の一側面の第１の情報処理方法／プログラムは、Standard Definition Televisionの所定の規格に従ったSD信号、または、High-Definition Televisionの所定の規格に従ったHD信号が入力された場合、前記SD信号または前記HD信号を、前記SD信号及び前記HD信号のフォーマットとは別の所定のフォーマットの信号に変換し、前記変換に際して、入力された前記HD信号に対してダウンコンバート処理を施して、その結果得られるSD信号を出力し、入力された前記SD信号、または、出力された前記SD信号に対して、画サイズを変更する処理を施し、その結果得られる画サイズ変更信号を出力し、出力された前記画サイズ変更信号に対して圧縮符号化処理を施し、その結果得られる信号を前記所定のフォーマットの信号として出力するステップを含む。
【００１７】
本発明の一側面の第１の情報処理装置および方法並びにプログラムにおいては、Standard Definition Televisionの所定の規格に従ったSD信号、または、High-Definition Televisionの所定の規格に従ったHD信号が入力された場合、前記SD信号または前記HD信号を、前記SD信号及び前記HD信号のフォーマットとは別の所定のフォーマットの信号に変換される。入力された前記HD信号に対してダウンコンバート処理が施され、その結果得られるSD信号が出力される。入力された前記SD信号、または、出力された前記SD信号に対して、画サイズを変更する処理が施され、その結果得られる画サイズ変更信号が出力される。出力された前記画サイズ変更信号に対して圧縮符号化処理が施され、その結果得られる信号が前記所定のフォーマットの信号として出力される。
【００１８】
本発明の一側面の第２の情報処理装置は、Standard Definition Televisionの所定の規格に従ったSD信号、または、High-Definition Televisionの所定の規格に従ったHD信号から変換された、前記SD信号及び前記HD信号のフォーマットとは別の所定のフォーマットの信号が入力された場合、前記所定のフォーマットの信号から前記SD信号または前記HD信号に逆変換する逆変換手段を備え、前記所定のフォーマットの信号は、第１の画サイズの前記SD信号、または、前記HD信号に対してダウンコンバート処理が施された結果得られる前記第１の画サイズのSD信号に対して、その画サイズを前記第１の画像サイズから第２の画サイズに変更する処理が施され、さらに、その結果得られる前記第２の画サイズの画サイズ変更信号に対して圧縮符号化処理が施された結果得られる信号であり、前記逆変換手段は、前記所定のフォーマットの信号に対して伸張復号処理を施し、その結果得られる前記画サイズ変更信号を出力する伸張復号手段と、前記伸張復号手段から出力された前記画サイズ変更信号に対して、その画サイズを前記第２の画像サイズから前記第１の画サイズに逆変更する処理を施し、その結果得られるSD信号を出力する画サイズ逆変換手段と、前記画サイズ逆変換手段から出力された前記SD信号が、前記HD信号に対して前記ダウンコンバート処理が施された結果得られる前記SD信号に対応している場合、前記画サイズ逆変換手段から出力された前記SD信号に対してアップコンバート処理を施し、その結果得られるHD信号を出力するアップコンバート手段とを有する。
【００２０】
前記所定のフォーマットの信号は、第１の画サイズの前記HD信号、または、前記SD信号に対してアップコンバート処理が施された結果得られる前記第１の画サイズのHD信号に対して、その画サイズを前記第１の画像サイズから第２の画サイズに変更する処理が施され、さらに、その結果得られる前記第２の画サイズの画サイズ変更信号に対して圧縮符号化処理が施された結果得られる信号であり、前記逆変換手段は、前記所定のフォーマットの信号に対して伸張復号処理を施し、その結果得られる前記画サイズ変更信号を出力する伸張復号手段と、前記伸張復号手段から出力された前記画サイズ変更信号に対して、その画サイズを前記第２の画像サイズから前記第１の画サイズに逆変更する処理を施し、その結果得られるHD信号を出力する画サイズ逆変換手段と、前記画サイズ逆変換手段から出力された前記HD信号が、前記SD信号に対して前記アップコンバート処理が施された結果得られる前記HD信号に対応している場合、前記画サイズ逆変換手段から出力された前記HD信号に対してダウンコンバート処理を施し、その結果得られるSD信号を出力するダウンコンバート手段とを有する。
【００２１】
前記所定のフォーマットの信号は、第１の画サイズの前記SD信号に対して、その画サイズを前記第１の画像サイズから第２の画サイズに変更する処理が施された結果得られる前記第２の画サイズの画サイズ変更信号、または、第３の画サイズの前記HD信号に対して、その画サイズを前記第３の画像サイズから前記第２の画サイズに変更する処理が施された結果得られる前記第２の画サイズの画サイズ変更信号に対して圧縮符号化処理が施された結果得られる信号であり、前記逆変換手段は、前記所定のフォーマットの信号に対して伸張復号処理を施し、その結果得られる前記画サイズ変更信号を出力する伸張復号手段と、前記伸張復号手段から出力された前記画サイズ変更信号が、前記SD信号から変更された前記画サイズ変更信号に対応する場合、前記伸張復号手段から出力された前記画サイズ変更信号に対して、その画サイズを前記第２の画像サイズから前記第１の画サイズに逆変更する処理を施し、その結果得られるSD信号を出力する第１の画サイズ逆変換手段と、前記伸張復号手段から出力された前記画サイズ変更信号が、前記HD信号から変更された前記画サイズ変更信号に対応する場合、前記伸張復号手段から出力された前記画サイズ変更信号に対して、その画サイズを前記第２の画像サイズから前記第３の画サイズに逆変更する処理を施し、その結果得られるHD信号を出力する第２の画サイズ逆変換手段とを有する。
【００２２】
本発明の第２の情報処理方法／プログラムは、Standard Definition Televisionの所定の規格に従ったSD信号、または、High-Definition Televisionの所定の規格に従ったHD信号から変換された、前記SD信号及び前記HD信号のフォーマットとは別の所定のフォーマットの信号が入力された場合、前記所定のフォーマットの信号から前記SD信号または前記HD信号に逆変換するステップを含み、前記所定のフォーマットの信号は、第１の画サイズの前記SD信号、または、前記HD信号に対してダウンコンバート処理が施された結果得られる前記第１の画サイズのSD信号に対して、その画サイズを前記第１の画像サイズから第２の画サイズに変更する処理が施され、さらに、その結果得られる前記第２の画サイズの画サイズ変更信号に対して圧縮符号化処理が施された結果得られる信号であり、前記逆変換に際して、前記所定のフォーマットの信号に対して伸張復号処理を施し、その結果得られる前記画サイズ変更信号を出力し、出力された前記画サイズ変更信号に対して、その画サイズを前記第２の画像サイズから前記第１の画サイズに逆変更する処理を施し、その結果得られるSD信号を出力し、出力された前記SD信号が、前記HD信号に対して前記ダウンコンバート処理が施された結果得られる前記SD信号に対応している場合、出力された前記SD信号に対してアップコンバート処理を施し、その結果得られるHD信号を出力するステップを含む。
【００２３】
本発明の第２の情報処理装置および方法並びにプログラムにおいては、Standard Definition Televisionの所定の規格に従ったSD信号、または、High-Definition Televisionの所定の規格に従ったHD信号から変換された、前記SD信号及び前記HD信号のフォーマットとは別の所定のフォーマットの信号が入力された場合、前記所定のフォーマットの信号から前記SD信号または前記HD信号に逆変換される。前記所定のフォーマットの信号は、第１の画サイズの前記SD信号、または、前記HD信号に対してダウンコンバート処理が施された結果得られる前記第１の画サイズのSD信号に対して、その画サイズを前記第１の画像サイズから第２の画サイズに変更する処理が施され、さらに、その結果得られる前記第２の画サイズの画サイズ変更信号に対して圧縮符号化処理が施された結果得られる信号である。前記所定のフォーマットの信号に対して伸張復号処理が施され、その結果得られる前記画サイズ変更信号が出力される。出力された前記画サイズ変更信号に対して、その画サイズが前記第２の画像サイズから前記第１の画サイズに逆変更される処理が施され、その結果得られるSD信号が出力される。出力された前記SD信号が、前記HD信号に対して前記ダウンコンバート処理が施された結果得られる前記SD信号に対応している場合、出力された前記SD信号に対してアップコンバート処理が施され、その結果得られるHD信号が出力される。
【００２４】
本発明の一側面の送信装置は、Standard Definition Televisionの所定の規格に従ったSD信号、または、High-Definition Televisionの所定の規格に従ったHD信号を、前記SD信号及び前記HD信号のフォーマットとは別の所定のフォーマットの信号に変換して出力する変換手段と、前記変換手段から出力された前記所定のフォーマットの信号を送信する送信手段とを備え、前記変換手段は、入力された前記HD信号に対してダウンコンバート処理を施して、その結果得られるSD信号を出力するダウンコンバート手段と、入力された前記SD信号、または、前記ダウンコンバート手段から出力された前記SD信号に対して、画サイズを変更する処理を施し、その結果得られる画サイズ変更信号を出力する画サイズ変更手段と、前記画サイズ変更手段から出力された前記画サイズ変更信号に対して圧縮符号化処理を施し、その結果得られる信号を前記所定のフォーマットの信号として出力する圧縮符号化手段とを有する。
【００２５】
本発明の一側面の送信方法／プログラムは、信号を送信する送信装置の送信方法／信号を送信する装置を制御するコンピュータに実行させるプログロムであって、Standard Definition Televisionの所定の規格に従ったSD信号、または、High-Definition Televisionの所定の規格に従ったHD信号を、前記SD信号及び前記HD信号のフォーマットとは別の所定のフォーマットの信号に変換し、その所定のフォーマットの信号を前記送信装置が送信することを制御し、前記変換に際して、入力された前記HD信号に対してダウンコンバート処理を施して、その結果得られるSD信号を出力し、入力された前記SD信号、または、出力された前記SD信号に対して、画サイズを変更する処理を施し、その結果得られる画サイズ変更信号を出力し、出力された前記画サイズ変更信号に対して圧縮符号化処理を施し、その結果得られる信号を前記所定のフォーマットの信号として出力するステップを含む。
【００２６】
本発明の一側面の送信装置および方法並びにプログラムにおいては、Standard Definition Televisionの所定の規格に従ったSD信号、または、High-Definition Televisionの所定の規格に従ったHD信号が、前記SD信号及び前記HD信号のフォーマットとは別の所定のフォーマットの信号に変換され、その所定のフォーマットの信号が送信される。入力された前記HD信号に対してダウンコンバート処理が施され、その結果得られるSD信号が出力される。入力された前記SD信号、または、出力された前記SD信号に対して、画サイズを変更する処理が施され、その結果得られる画サイズ変更信号が出力される。出力された前記画サイズ変更信号に対して圧縮符号化処理が施され、その結果得られる信号が前記所定のフォーマットの信号として出力される。
【００２７】
本発明の一側面の記録装置は、Standard Definition Televisionの所定の規格に従ったSD信号、または、High-Definition Televisionの所定の規格に従ったHD信号を、前記SD信号及び前記HD信号のフォーマットとは別の所定のフォーマットの信号に変換して出力する変換手段と、前記変換手段から出力された前記所定のフォーマットの信号を、所定の記録媒体に記録する制御を行う記録制御手段とを備え、前記変換手段は、入力された前記HD信号に対してダウンコンバート処理を施して、その結果得られるSD信号を出力するダウンコンバート手段と、入力された前記SD信号、または、前記ダウンコンバート手段から出力された前記SD信号に対して、画サイズを変更する処理を施し、その結果得られる画サイズ変更信号を出力する画サイズ変更手段と、前記画サイズ変更手段から出力された前記画サイズ変更信号に対して圧縮符号化処理を施し、その結果得られる信号を前記所定のフォーマットの信号として出力する圧縮符号化手段とを有する。
【００２８】
前記SD信号に対して圧縮符号化処理を施し、その結果得られる圧縮符号化SD信号を出力するSD圧縮符号化手段をさらに備え、前記記録制御手段は、前記変換手段により前記SD信号から変換された前記所定のフォーマットの信号とともに、前記SD圧縮符号化手段から出力された前記圧縮符号化SD信号を、前記所定の記録媒体に記録する制御を行う。
【００２９】
前記HD信号に対して圧縮符号化処理を施し、その結果得られる圧縮符号化HD信号を出力するHD圧縮符号化手段をさらに備え、前記記録制御手段は、前記変換手段により前記HD信号から変換された前記所定のフォーマットの信号とともに、前記HD圧縮符号化手段から出力された前記圧縮符号化HD信号を、前記所定の記録媒体に記録する制御を行う。
【００３０】
本発明の一側面の記録方法／プログラムは、所定の記録媒体に信号を記録する記録装置の記録方法／所定の記録媒体に信号を記録する処理を制御するコンピュータに実行させるプログラムであって、Standard Definition Televisionの所定の規格に従ったSD信号、または、High-Definition Televisionの所定の規格に従ったHD信号を、前記SD信号及び前記HD信号のフォーマットとは別の所定のフォーマットの信号に変換し、前記所定のフォーマットの信号を、前記所定の記録媒体に記録する制御を行い、前記変換に際して、入力された前記HD信号に対してダウンコンバート処理を施して、その結果得られるSD信号を出力し、入力された前記SD信号、または、出力された前記SD信号に対して、画サイズを変更する処理を施し、その結果得られる画サイズ変更信号を出力し、出力された前記画サイズ変更信号に対して圧縮符号化処理を施し、その結果得られる信号を前記所定のフォーマットの信号として出力するステップを含む。
【００３１】
本発明の一側面の記録装置および方法並びにプログラムにおいては、Standard Definition Televisionの所定の規格に従ったSD信号、または、High-Definition Televisionの所定の規格に従ったHD信号が、前記SD信号及び前記HD信号のフォーマットとは別の所定のフォーマットの信号に変換され、前記所定のフォーマットの信号が所定の記録媒体に記録される。入力された前記HD信号に対してダウンコンバート処理が施され、その結果得られるSD信号が出力される。入力された前記SD信号、または、出力された前記SD信号に対して、画サイズを変更する処理が施され、その結果得られる画サイズ変更信号が出力される。出力された前記画サイズ変更信号に対して圧縮符号化処理が施され、その結果得られる信号が前記所定のフォーマットの信号として出力される。
【発明の効果】
【００３２】
以上のごとく、本発明の一側面によれば、所定のフォーマットの信号を例えばProxy信号として取り扱うことができる。特に、SD用Proxy信号とHD用Proxy信号とを共通フォーマットで取り扱え、かつ、回路規模も抑制できる。
【発明を実施するための最良の形態】
【００５０】
以下、図面を参照して、本発明の実施の形態について説明する。
【００５１】
図１は、本発明を適用した光ディスク記録再生装置の構成例を示す図である。
【００５２】
図１の例の光ディスク記録再生装置１−１は、端子１１乃至アップコンバート部３５を含むように構成されている。
【００５３】
HD信号入力部１２は、外部から供給されてきたHD信号を端子１１を介して入力し、HD本線映像圧縮部１３とダウンコンバート部１９に提供する。
【００５４】
HD本線映像圧縮部１３は、供給されたHD信号を例えばMPEG方式で圧縮符号化（エンコード）し、その結果得られるエレメンタリーストリーム（以下、ES信号と称する）をHD本線映像信号として切替部１７に提供する。
【００５５】
一方、SD信号入力部１５は、外部から供給されてきたSD信号を端子１４を介して入力し、SD本線映像圧縮部１６と切替部２０に提供する。
【００５６】
SD本線映像圧縮部１６は、供給されたSD信号を例えばMPEG方式で圧縮符号化（エンコード）し、その結果得られるES信号をSD本線映像信号として切替部１７に提供する。
【００５７】
切替部１７は、図視せぬコントロール部等の制御に基づいて、その入力を、HD本線映像圧縮部１３側とSD本線映像圧縮部１６側とのうちのいずれか一方に切り替える。
【００５８】
具体的には、切替部１７の入力がHD本線映像圧縮部１３側に切り替えられた場合、HD本線映像圧縮部１３から出力されたHD本線映像信号が、切替部１７に入力されて光ディスク記録／再生部１８に提供される。
【００５９】
一方、切替部１７の入力がSD本線映像圧縮部１６側に切り替えられた場合、SD本線映像圧縮部１６から出力されたSD本線映像信号が、切替部１７に入力されて光ディスク記録／再生部１８に提供される。
【００６０】
光ディスク記録/再生部１８は、切替部１７から提供されてくるHD本線映像信号またはSD本線映像信号を光ディスク５１に記録する（書き込む）。さらに、光ディスク記録/再生部１８は、後述するProxy映像圧縮部２１から提供されてくるProxy信号を光ディスク５１に記録する。
【００６１】
また、光ディスク記録/再生部１８は、光ディスク５１に記録されているHD本線映像信号またはSD本線映像信号を必要に応じて読み出して、切替部２４に提供する。さらにまた、光ディスク記録/再生部１８は、光ディスク５１に記録されているProxy信号を必要に応じて読み出して、Proxy映像伸張部３４に提供する。
【００６２】
ダウンコンバート部１９は、上述したHD信号入力部１２または後述するHD本線映像伸張部３０から提供されたHD信号に対してダウンコンバート処理を施し、その結果得られるSD信号を、切替部２０と切替部２６とに提供する。詳細については後述するが、HD信号からダウンコンバートされたSD信号が、切替部２０に提供される理由は、そのSD信号から、HD用Proxy信号をProxy映像圧縮部２１に生成させるためであり、切替部２６に提供される理由は、主に、そのSD信号に対応する映像を表示部２９に表示させるためである。
【００６３】
切替部２０は、図視せぬコントロール部等の制御に基づいて、その入力を、SD信号入力部１５側とダウンコンバート部１９側とのうちのいずれか一方に切り替える。
【００６４】
具体的には、切替部２０の入力がSD信号入力部１５側に切り替えられた場合、SD信号入力部１５の出力信号であるSD信号が、切替部２０を介してProxy映像圧縮部２１に提供される。この場合、後述するように、SD用Proxy信号がProxy映像圧縮部２１により生成される。
【００６５】
一方、切替部２０の入力がダウンコンバート部１９側に切り替えられた場合、ダウンコンバート部１９の出力信号であるSD信号が、即ち、HD信号からダウンコンバートされたSD信号が、切替部２０に入力されてProxy映像圧縮部２１に提供される。この場合、後述するように、HD用Proxy信号がProxy映像圧縮部２１により生成される。
【００６６】
Proxy映像圧縮部２１は、切替部２０から提供されたSD信号に対して、Proxy信号に変換する処理を施して、その結果得られるProxy信号を光ディスク記録／再生部１８に提供する。
【００６７】
上述したように、Proxy信号には、画サイズ縮小タイプProxy信号や、イントラ圧縮タイプProxy信号といった様々な種類（タイプ）が存在する。このため、Proxy映像圧縮部２１によるProxy信号に変換する処理とは、変換後のProxy信号のタイプに応じてそれぞれ異なる処理となる。そこで、説明の簡略上、以下、画サイズ縮小タイプProxy信号が採用されているとして説明を行う。
【００６８】
即ち、Proxy映像圧縮部２１は、SD信号に対して、画サイズ縮小タイプProxy信号に変換する処理を施して、その結果得られる画サイズ縮小タイプProxy信号を光ディスク記録／再生部１８に提供する。
【００６９】
このような画サイズ縮小タイプProxy信号に変換する処理を実行するためには、Proxy映像圧縮部２１は、例えば、図２に示されるように、SD/Proxy画サイズ変換部７１と圧縮符号化部７２とから構成することができる。
【００７０】
SD/Proxy画サイズ変換部７１は、切替部２０（図１）より提供されたSD信号に対して、その画サイズ（例えば７２０画素の４８０有効ラインに対応する画サイズ）を縮小させる処理、具体的には例えば水平×垂直の画素数が３５２×２４０の画サイズに変換する処理を施し、その結果得られるベースバンド信号（以下、画サイズ縮小信号と称する）を圧縮符号化部７２に提供する。
【００７１】
圧縮符号化部７２は、SD/Proxy画サイズ変換部７１から提供された画サイズ縮小信号を例えばMPEG方式で圧縮符号化（エンコード）し、その結果得られるES信号をProxy信号として（より正確には画サイズ縮小タイプProxy信号）として光ディスク記録/再生部１８（図１）に提供する。
【００７２】
図１に戻り、HD信号入力部１２に入力されたHD信号に対して、ダウンコンバート部１９によりダウンコンバート処理が施され、その結果得られるSD信号が、切替部２０を介してProxy映像圧縮部２１に入力される場合、Proxy映像圧縮部２１からはHD用Proxy信号が出力される。
【００７３】
これに対して、SD信号入力部１５に入力されたSD信号が、切替部２０を介してProxy映像圧縮部２１に入力される場合、Proxy映像圧縮部２１からはSD用Proxy信号が出力される。
【００７４】
このように、HD用Proxy信号を生成する場合であっても、HD信号はSD信号に変換された後にProxy映像圧縮部２１に提供されるので、即ち、SD用Proxy信号を生成する場合と同様にSD信号の形態でProxy映像圧縮部２１に提供されるので、Proxy映像圧縮部２１は、HD用Proxy信号を、SD用Proxy信号と同一のフォーマットで生成することができる。
【００７５】
ネットワーク接続部２２は、端子２３を介して所定のネットワーク（図示せず）と接続して、ネットワーク上の他の装置（図示せず）と送受信処理を実行する。例えば、ネットワーク接続部２２は、光ディスク記録/再生部１８により光ディスク５１から読み出された各種信号を、例えば後述する図１３の編集装置２５１や放送局２５２等にネットワークを介して送信することができる。
【００７６】
その際、ネットワーク接続部２２は、SD本線映像信号やHD本線映像信号をネットワーク上の他の装置に直接送信することもできるが、そのデータ量が大きいため（特に、HD本線映像信号は非常にデータ量が大きいため）、その分だけ送信時間が長時間となる、という問題点が発生する場合がある。そこで、かかる問題点を解決するためには、ネットワーク接続部２２は、データ量の小さい画サイズ縮小タイプProxy信号をネットワーク上の他の装置に送信すればよい。
【００７７】
また、SD本線映像信号、HD本線映像信号、および、Proxy信号はES信号であるので、ネットワーク接続部２２は、それらのES信号を、例えばIEEE（The Institute of Electrical and Electronics Engineers, Inc.）1394で規定されているトランスポートストリーム信号（以下、TS信号と称する）に変換した上で、端子２３を介してネットワーク上の他の装置に送信することもできる。
【００７８】
切替部２４は、図視せぬコントロール部等の制御に基づいて、その出力を、SD本線映像伸張部２５側とHD本線伸張部３０側とのうちのいずれか一方に切り替える。
【００７９】
具体的には、切替部２４の出力がSD本線映像伸張部２５側に切り替えられた場合、光ディスク記録／再生部１８により光ディスク５１から読み出されたSD本線映像信号が、切替部２４に入力されてSD本線映像伸張部２５に提供される。
【００８０】
一方、切替部２４の出力がHD本線映像伸張部３０側に切り替えられた場合、光ディスク記録／再生部１８により光ディスク５１から読み出されたHD本線映像信号が、切替部２４に入力されてHD本線映像伸張部３０に提供される。
【００８１】
SD本線映像伸張部２５は、切替部２４から提供されたSD本線映像信号（ES信号）を、MPEG方式で伸張復号（デコード）し、その結果得られるSD信号を切替部２６に提供する。
【００８２】
切替部２６は、図視せぬコントロール部等の制御に基づいて、その入力を、SD本線映像伸張部２５側、Proxy映像伸張部３４側、および、ダウンコンバート部１９側のうちのいずれか一方に切り替える。
【００８３】
具体的には、切替部２６の入力がSD本線映像伸張部２５側に切り替えられた場合、SD本線映像伸張部２５から出力されたSD信号、即ち、上述したようにSD本線映像信号から変換されたSD信号が、切替部２６に入力されて、SD信号出力部２７、表示部２９、およびアップコンバート部３５に提供される。
【００８４】
また、切替部２６の入力がProxy映像伸張部３４側に切り替えられた場合、Proxy映像伸張部３４から出力されたSD信号、即ち、後述するようにProxy信号から変換されたSD信号が、切替部２６に入力されて、SD信号出力部２７、表示部２９、およびアップコンバート部３５に提供される。
【００８５】
なお、一般的に、いわゆるシャトル再生（早送り再生）機能やサムネイル機能が利用される場合に、切替部２６の入力がProxy映像伸張部３４側に切り替えられる。即ち、シャトル再生（早送り再生）機能やサムネイル機能が実現される場合、SD本線映像信号（それに対応するSD信号）の代わりに、SD用Proxy信号（それに対応するSD信号）が利用される。
【００８６】
また、切替部２６の入力がダウンコンバート部１９側に切り替えられた場合、ダウンコンバート部１９から出力されたSD信号、即ち、外部から入力されたHD信号または後述するようにHD本線映像信号から変換されたHD信号等に対して、ダウンコンバート部１９によりダウンコンバート処理が施された結果得られるSD信号が、切替部２６に入力される。そして、そのSD信号は、切替部２６から、SD信号出力部２７、表示部２９、およびアップコンバート部３５に提供される。
【００８７】
SD信号出力部２７は、切替部２６から提供されたSD信号を、端子２８から外部に出力する。
【００８８】
表示部２９は、切替部２６から提供されたSD信号に対応する映像を表示する。ここで注目すべき点は、表示部２９の表示対象のSD信号は、元々SD信号であったものの他、さらに、元々HD信号であったものがダウンコンバート部１９によりSD信号に変換されたものも含む点である。この点により、ユーザは、外部から提供されてきたHD信号や、光ディスク５１から再生されたHD信号（それらに対応する映像）を表示部２９でリアルタイムに視認することが可能になる。
【００８９】
HD本線映像伸張部３０は、切替部２４から提供されたHD本線映像信号（ES信号）を、MPEG方式で伸張復号（デコード）し、その結果得られるHD信号を切替部３１とダウンコンバート部１９に提供する。上述したように、ダウンコンバート部１９に提供されたHD信号はSD信号に変換された後、切替部２６、SD信号出力部２７、および端子２８を介して外部に出力されたり、表示部２９に提供されて、対応する映像が表示される。
【００９０】
切替部３１は、図視せぬコントロール部等の制御に基づいて、その入力を、HD本線映像伸張部３０側とアップコンバート部３５側とのうちのいずれか一方に切り替える。
【００９１】
具体的には、切替部３１の入力がHD本線映像伸張部３０側に切り替えられた場合、HD本線映像伸張部３０から出力されたHD信号、即ち、上述したようにHD本線映像信号から変換されたHD信号が、切替部３１に入力されてHD信号出力部３２に提供される。
【００９２】
一方、切替部３１の入力がアップコンバート部３５側に切り替えられた場合、アップコンバート部３５から出力されたHD信号が、切替部３１に入力されてHD信号出力部３２に提供される。アップコンバート部３５から出力されたHD信号とは、後述するようにSD信号に対してアップコンバート部３５によるアップコンバート処理が施された結果得られるHD信号であり、例えば、光ディスク５１にHD本線映像信号とともに記録されていたHD用Proxy信号に対応するHD信号である。
【００９３】
なお、一般的に、いわゆるシャトル再生（早送り再生）機能やサムネイル機能が利用される場合に、切替部３１の入力がアップコンバート部３５側に切り替えられる。即ち、HD信号についてもSD信号と同様に、シャトル再生（早送り再生）機能やサムネイル機能を実現される場合、HD本線映像信号（それに対応するHD信号）の代わりに、HD用Proxy信号（それに対応するHD信号）が利用される。
【００９４】
HD信号出力部３２は、切替部３１から提供されたHD信号を、端子３３から外部に出力する。
【００９５】
Proxy映像伸張部３４は、光ディスク記録／再生部１８により光ディスク５１から読み出されたProxy信号に対して、SD信号に変換する処理を施して、その結果得られるSD信号を切替部２６に提供する。切替部２６に提供されたSD信号が、SD用Proxy信号から変換されたSD信号であった場合、そのSD信号は、SD信号出力部２７と端子２８を介して外部に出力される。これに対して、切替部２６に提供されたSD信号が、HD用Proxy信号から変換されたSD信号であった場合、そのSD信号は、後述するアップコンバート部３５によりHD信号に変換されて、変換後のHD信号が、切替部３１、HD信号出力部３２、端子３３を介して外部に出力される。
【００９６】
上述したように、Proxy信号には、画サイズ縮小タイプProxy信号や、イントラ圧縮タイプProxy信号といった様々な種類（タイプ）が存在する。このため、Proxy映像伸張部３４によるSD信号に変換する処理とは、Proxy映像圧縮部２１によるProxy信号に変換する処理と同様に、変換前のProxy信号のタイプに応じてそれぞれ異なる処理となる。
【００９７】
ただし、ここでは、上述したように説明の簡略上、画サイズ縮小タイプProxy信号が採用されているとしている。即ち、光ディスク５１には画サイズ縮小タイプProxy信号が記録されるとされている。
【００９８】
この場合、Proxy映像伸張部３４は、画サイズ縮小タイプProxy信号からSD信号に変換する処理を実行する。
【００９９】
このような画サイズ縮小タイプProxy信号からSD信号に変換する処理を実行するためには、Proxy映像伸張部３４は、例えば、図３に示されるように、伸張復号部８１とProxy/SD画サイズ変換部８２とから構成することができる。
【０１００】
伸張復号部８１は、光ディスク記録／再生部１８（図１）により光ディスク５１から読み出されたProxy信号（ES信号）を、MPEG方式で伸張復号（デコード）し、その結果得られる画サイズ縮小信号、即ち、図２のSD/Proxy画サイズ変換部７１の出力信号の復元信号を、Proxy/SD画サイズ変換部８２に提供する。
【０１０１】
Proxy/SD画サイズ変換部８２は、伸張復号部８１から提供された画サイズ縮小信号に対して、その画サイズ（例えば水平×垂直の画素数が３５２×２４０の画サイズ）を拡大させる処理、具体的には例えば７２０画素の４８０有効ラインに対応する画サイズに変換する処理を施し、その結果得られるSD信号を切替部２６（図１）に提供する。
【０１０２】
換言すると、Proxy/SD画サイズ変換部８２は、図２のSD/Proxy画サイズ変換部７１が実行する変換処理に対して、その逆変換処理を実行する。
【０１０３】
図１に戻り、アップコンバート部３５は、切替部２６から提供されたSD信号に対して、例えば上述したようにSD用Proxy信号から変換されたSD信号に対してアップコンバート処理を施し、その結果得られるHD信号を、切替部３１に提供する。
【０１０４】
次に、図４のフローチャートを参照して、かかる図１の例の光ディスク記録再生装置１−１の処理（動作）のうちの、外部から提供されてきたHD信号またSD信号を、HDまたはSD本線映像信号と、Proxy信号とのそれぞれに変換した上で光ディスク５１に記録するまでの一連の処理（以下、かかる一連の処理を記録処理と称する）の一例について説明する。
【０１０５】
外部からHD信号またはSD信号が入力されると、この記録処理は開始する。
【０１０６】
ステップＳ１において、光ディスク記録再生装置１−１は、SD信号が入力されたか否かを判定する。
【０１０７】
SD信号が端子１４を介してSD信号入力部１５に入力されると、ステップＳ１においてＹＥＳであると判定され、そのSD信号が、SD本線映像圧縮部１６に提供されるともに、切替部２０を介してProxy映像圧縮部２１に提供される。これにより、処理はステップＳ２に進む。
【０１０８】
ステップＳ２において、SD本線映像圧縮部１６は、SD信号からSD本線映像信号を生成する。
【０１０９】
また、ステップＳ３において、Proxy映像圧縮部２１は、SD信号からSD用Proxy信号を生成する。
【０１１０】
なお、図４の例では、説明の便宜上、ステップＳ２の処理後にステップＳ３の処理が実行されるように記載されているが、ステップＳ２の処理中にステップＳ３の処理が独立して実行されるようになされてもよい。即ち、SD本線映像信号の生成処理中またはその前後に、それに対応するSD用Proxy信号の生成処理が実行されるようになされてもよい。
【０１１１】
ステップＳ２の処理で生成されたSD本線映像信号と、ステップＳ３の処理で生成されたSD用Proxy信号とが光ディスク記録／再生部１８に提供されると、処理はステップＳ４に進む。
【０１１２】
ステップＳ４において、光ディスク記録／再生部１８は、SD本線映像信号とSD用Proxy信号とを光ディスク５１に記録する。これにより記録処理は終了となる。
【０１１３】
なお、図４の例では、説明の便宜上、ステップＳ２とＳ３の処理が何れも終了した後にステップＳ４の処理が実行されるように記載されているが、ステップＳ２またはＳ３の処理終了後、他方の処理の段階のいかんに関わらず直ちに、生成されたSD本線映像信号またはSD用Proxy信号が光ディスク５１に記録されるようになされてもよい。
【０１１４】
このように、図１の例の光ディスク記録再生装置１−１においては、SD信号が入力されると、ステップＳ１の処理でYESであると判定されて、ステップＳ２乃至Ｓ４の処理が実行され、その結果、そのSD信号に対応するSD本線映像信号とSD用Proxy信号とが光ディスク５１に記録される。
【０１１５】
これに対して、HD信号が入力されると、ステップＳ１の処理でNOであると判定されて、次のようなステップＳ５乃至Ｓ８の処理が実行され、その結果、そのHD信号に対応するHD本線映像信号とHD用Proxy信号とが光ディスク５１に記録される。
【０１１６】
即ち、HD信号が端子１１を介してHD信号入力部１２に入力されると、ステップＳ１においてＮＯであると判定され、そのHD信号が、HD本線映像圧縮部１３に提供されるともに、ダウンコンバート部１９に提供される。これにより、処理はステップＳ５に進む。
【０１１７】
ステップＳ５において、HD本線映像圧縮部１３は、HD信号からHD本線映像信号を生成する。
【０１１８】
また、ステップＳ６において、ダウンコンバート１９は、HD信号からSD信号を生成し、そのSD信号を切替部２０を介してProxy映像圧縮部２１に提供する。そして、ステップＳ７において、Proxy映像圧縮部２１は、そのSD信号からHD用Proxy信号を生成する。
【０１１９】
なお、図４の例では、説明の便宜上、ステップＳ５の処理後に、ステップＳ６とＳ７の一連の処理が実行されるように記載されているが、ステップＳ５の処理中に、ステップＳ６とＳ７の一連の処理が独立して実行されるようになされてもよい。即ち、HD本線映像信号の生成処理中またはその前後に、それに対応するHD用Proxy信号の生成処理が実行されるようになされてもよい。
【０１２０】
ステップＳ５の処理で生成されたHD本線映像信号と、ステップＳ６とＳ７の一連の処理で生成されたHD用Proxy信号とが光ディスク記録／再生部１８に提供されると、処理はステップＳ８に進む。
【０１２１】
ステップＳ８において、光ディスク記録／再生部１８は、HD本線映像信号とHD用Proxy信号とを光ディスク５１に記録する。これにより記録処理は終了となる。
【０１２２】
なお、図４の例では、説明の便宜上、ステップＳ５、および、ステップＳ６とＳ７の一連の処理が何れも終了した後に、ステップＳ８の処理が実行されるように記載されているが、ステップＳ５、または、ステップＳ６とＳ７の一連の処理終了後、他方の処理の段階のいかんに関わらず直ちに、生成されたHD本線映像信号またはHD用Proxy信号が光ディスク５１に記録されるようになされてもよい。
【０１２３】
また、図１の例の光ディスク記録再生装置１−１は、このようにして光ディスク５１に記録されたProxy信号を再生する処理（以下、Proxy信号再生処理と称する）も実行できる。ただし、かかるProxy信号再生処理については、図１５の例の光ディスク再生装置１１１−１（図１の例の光ディスク記録再生装置１−１のうちの再生機能のみを有する装置）のProxy信号再生処理として、図１６のフローチャートを参照して後述する。
【０１２４】
以上説明したように、図１の例の光ディスク記録再生装置１−１は、HD信号が入力された場合であっても、そのHD信号をダウンコンバートしてSD信号に変換し、そのSD信号からHD用Proxy信号を生成するので、HD用Proxy信号のフォーマットを、SD用Proxy信号のフォーマットと同一にできる。
【０１２５】
その結果、Proxy信号を作成するためのProxy映像圧縮部２１や、そのProxy信号から元のベースバンド信号（図１の例ではSD信号）を復元するためのProxy映像伸張部３４を、SD信号用とHD信号用とで別々に設ける必要が無くなり共通にできる、という第１の効果を奏することが可能になる。
【０１２６】
また、上述したように、HD用Proxy信号を利用するシステム（システムの定義については後述する）、例えば、後述する図１３のシステムとして、SD用Proxy信号を利用していた従来のシステムをそのまま採用できる、という第２の効果を奏することも可能になる。ユーザの立場から換言すると、ユーザは、従来のシステムをそのまま利用して、HD用Proxy信号を用いた代理の編集等の操作を、SD用Proxy信号を用いた代理の編集等の従来の操作と全く同様に実施できる、という第２の効果を奏することが可能になる。
【０１２７】
かかる第１の効果と第２の効果とを奏するためには、Proxy信号の生成手法（以下、Proxy信号生成手法と称する）として、結局、HD用Proxy信号とSD用Proxy信号とを同一フォーマットで生成する、といった手法を適用すればよい。
【０１２８】
即ち、図１の例の光ディスク記録再生装置１−１には、SD信号からProxy信号を生成するProxy映像圧縮部２１を１つ設けることを前提とし、HD用Proxy信号を生成するために、そのHD信号をダウンコンバート部１９によりダウンコンバートさせてSD信号に変換させた後、そのSD信号をProxy映像圧縮部２１により処理させる、といった手法（以下、ダウンコンバートProxy信号生成手法と称する）が適用されている。
【０１２９】
しかしながら、Proxy信号生成手法は、ダウンコンバートProxy信号生成手法に特に限定されない。例えば、ダウンコンバートProxy信号生成手法とは逆の手法、即ち、HD信号からProxy信号を生成するProxy映像圧縮部を１つ設けることを前提とし、SD用Proxy信号を生成するために、そのSD信号をアップコンバート部によりアップコンバートさせてHD信号に変換させた後、そのHD信号をProxy映像圧縮部により処理させる、といった手法（以下、アップコンバートProxy信号生成手法と称する）を適用することも可能である。
【０１３０】
かかるアップコンバートProxy信号生成手法が適用された光ディスク記録再生装置の一例が図５に示されている。即ち、図５は、本発明を適用した光ディスク記録再生装置の構成例であって、図１とは異なる例を示す図である。
【０１３１】
なお、図５の例の光ディスク記録再生装置１−２において、図１の例と対応する部分には同一の符号を付してあり、その説明は適宜省略する。
【０１３２】
図５の例の光ディスク記録再生装置１−２と、図１の例の光ディスク記録再生装置１−１とを比較するに、図５の例では、図１（図２）のProxy映像圧縮部２１の代わりにProxy映像圧縮部１０１（後述する図６参照）が設けられ、図１（図３）のProxy映像伸張部３４の代わりにProxy映像伸張部１０２（後述する図７参照）が設けられ、図１の切替部３１の代わりに切替部１０３が設けられ、かつ、図１の切替部２６の代わりに切替部１０４が設けられている。図５の例の光ディスク記録再生装置１−２のその他の構成要素（ブロック）は、図１の例の対応する符号のブロックと基本的に同様の構成と機能を有している。ただし、各ブロックの入出力先が若干異なっている。
【０１３３】
以下、図５の例の光ディスク記録再生装置１−２の構成のうちの、図１の例の光ディスク記録再生装置１−１の構成とは異なる部分についてのみ説明する。
【０１３４】
SD信号入力部１５の出力先、即ち、SD信号の提供先は、図１の例ではSD本線映像圧縮部１６と切替部２０とされていたが、図５の例ではSD本線映像圧縮部１６とアップコンバート部３５とされている。
【０１３５】
一方、HD信号入力部１２の出力先、即ち、HD信号の提供先は、図１の例ではHD本線映像圧縮部１３とダウンコンバート部１９とされていたが、図５の例ではHD本線映像圧縮部１３とダウンコンバート部１９とに加えてさらに切替部２０とされている。
【０１３６】
また、ダウンコンバート部１９の出力先は、図１の例では切替部２０と切替部２６とされていたが、図５の例では切替部１０４のみとされている。一方、アップコンバート部３５の出力先は、図１の例では切替部３１のみとされていたが、図５の例では切替部２０と切替部１０３とされている。即ち、切替部２０の入力は、図１の例ではダウンコンバート部１９側とSD信号入力部１５側とされていたが、図５の例ではHD信号入力部１２側とアップコンバート部３５側とされている。
【０１３７】
以上のことから、図５の例では、切替部２０の入力がHD信号入力部１２側に切り替えられた場合、HD信号入力部１２から出力されたHD信号が、切替部２０に入力されてProxy映像圧縮部１０１に提供される。この場合、後述するように、HD用Proxy信号がProxy映像圧縮部１０１により生成される。
【０１３８】
一方、切替部２０の入力がアップコンバート部３５側に切り替えられた場合、アップコンバート部３５から出力されたHD信号が切替部２０に入力される。即ち、SD信号入力部１５に入力されたSD信号が、アップコンバート部３５によりアップコンバート処理が施され、その結果得られるHD信号が切替部２０に入力される。そして、このHD信号が切替部２０からProxy映像圧縮部１０１に提供される。この場合、後述するように、SD用Proxy信号がProxy映像圧縮部１０２により生成される。
【０１３９】
Proxy映像圧縮部１０１は、切替部２０から提供されたHD信号に対して、Proxy信号に変換する処理を施して、その結果得られるProxy信号を光ディスク記録／再生部１８に提供する。
【０１４０】
上述したように、Proxy信号には、画サイズ縮小タイプProxy信号や、イントラ圧縮タイプProxy信号といった様々な種類（タイプ）が存在する。このため、Proxy映像圧縮部１０１によるProxy信号に変換する処理とは、変換後のProxy信号のタイプに応じてそれぞれ異なる処理となる。
【０１４１】
ただし、ここでは、上述したように説明の簡略上、画サイズ縮小タイプProxy信号が採用されているとしている。即ち、光ディスク５１には画サイズ縮小タイプProxy信号が記録されるとしている。
【０１４２】
この場合、Proxy映像圧縮部１０１は、HD信号から画サイズ縮小タイプProxy信号に変換する処理を実行する。
【０１４３】
このようなHD信号から画サイズ縮小タイプProxy信号に変換する処理を実行するためには、Proxy映像圧縮部１０１は、例えば、図６に示されるように、HD/Proxy画サイズ変換部１１１と圧縮符号化部１１２とから構成することができる。
【０１４４】
HD/Proxy画サイズ変換部１１１は、切替部２０（図５）より提供されたHD信号に対して、その画サイズ（例えば水平×垂直の画素数が１９２０×１０８０の画サイズ）を縮小させる処理、具体的には例えば水平×垂直の画素数が３５２×２４０の画サイズに変換する処理を施し、その結果得られる画サイズ縮小信号を圧縮符号化部１１２に提供する。
【０１４５】
圧縮符号化部１１２は、図２の圧縮符号化部７２と同様の機能と構成を有している。即ち、圧縮符号化部１１２は、HD/Proxy画サイズ変換部１１１から提供された画サイズ縮小信号を例えばMPEG方式で圧縮符号化（エンコード）し、その結果得られるES信号をProxy信号として（より正確には画サイズ縮小タイプProxy信号）として光ディスク記録/再生部１８（図５）に提供する。
【０１４６】
このような図６の例のProxy映像圧縮部１０１に対応するProxy映像伸張部１０２（図５）の構成例が、図７に示されている。
【０１４７】
図７の例のProxy映像伸張部１０２は、伸張復号部１２１とProxy/HD画サイズ変換部１２２を含むように構成されている。
【０１４８】
伸張復号部１２１は、図３の伸張復号部８１と同様の機能と構成を有している。即ち、伸張復号部１２１は、光ディスク記録／再生部１８（図５）により光ディスク５１から読み出されたProxy信号（ES信号）を、MPEG方式で伸張復号（デコード）し、その結果得られる画サイズ縮小信号、即ち、図６のHD/Proxy画サイズ変換部１１１の出力信号の復元信号を、Proxy/HD画サイズ変換部１２２に提供する。
【０１４９】
Proxy/HD画サイズ変換部１２２は、伸張復号部１２１から提供された画サイズ縮小信号に対して、その画サイズ（例えば水平×垂直の画素数が３５２×２４０の画サイズ）を拡大させる処理、具体的には例えば水平×垂直の画素数が１９２０×１０８０の画サイズに変換する処理を施し、その結果得られるHD信号を切替部１０３（図５）に提供する。
【０１５０】
換言すると、Proxy/HD画サイズ変換部１２２は、図６のHD/Proxy画サイズ変換部１１１が実行する変換処理に対して、その逆変換処理を実行する。
【０１５１】
図５に戻り、切替部１０３は、図視せぬコントロール部等の制御に基づいて、その入力を、HD本線映像伸張部３０側、アップコンバート部３５側、および、Proxy映像伸張部１０２側のうちのいずれか一方に切り替える。
【０１５２】
具体的には、切替部１０３の入力がHD本線映像伸張部３０側に切り替えられた場合、HD本線映像伸張部３０から出力されたHD信号、即ち、HD本線映像信号から変換されたHD信号が、切替部１０３に入力されてHD信号出力部３２に提供される。
【０１５３】
また、切替部１０３の入力がアップコンバート部３５側に切り替えられた場合、アップコンバート部３５から出力されたHD信号、即ち、SD信号に対してアップコンバート部３５によるアップコンバート処理が施された結果得られるHD信号が、切替部１０３に入力されてHD信号出力部３２に提供される。
【０１５４】
また、切替部１０３の入力がProxy映像伸張部１０２側に切り替えられた場合、Proxy映像伸張部１０２から出力されたHD信号、即ち、HD用Proxy信号から変換されたHD信号が、切替部１０３に入力されてHD信号出力部３２に提供される。
【０１５５】
切替部１０４は、図視せぬコントロール部等の制御に基づいて、その入力を、SD本線映像伸張部２５側とダウンコンバート部１９側とのうちのいずれか一方に切り替える。
【０１５６】
具体的には、切替部１０４の入力がSD本線映像伸張部２５側に切り替えられた場合、SD本線映像伸張部２５から出力されたSD信号、即ち、SD本線映像信号から変換されたSD信号が、切替部１０４に入力されて、SD信号出力部２７、表示部２９、およびアップコンバート部３５に提供される。
【０１５７】
一方、切替部１０４の入力がダウンコンバート部１９側に切り替えられた場合、ダウンコンバート部１９から出力されたSD信号が切替部１０４に入力されて、SD信号出力部２７、表示部２９、およびアップコンバート部３５に提供される。なお、ダウンコンバート部１９から出力されたSD信号とは、外部から入力されたHD信号、HD本線映像信号から変換されたHD信号、または、SD用Proxy信号から変換されたHD信号に対して、ダウンコンバート部１９によるダウンコンバート処理が施された結果得られるSD信号である。
【０１５８】
以上、図５の例の光ディスク記録再生装置１−２の構成のうちの、図１の例の光ディスク記録再生装置１−１の構成とは異なる部分について説明した。即ち、図５の例の光ディスク記録再生装置１−２の構成のうちの上述した部分以外の部分は、図１の例の光ディスク記録再生装置１−１の対応する部分と同様の構成とされている。
【０１５９】
次に、図８のフローチャートを参照して、かかる図５の例の光ディスク記録再生装置１−２の記録処理の一例について説明する。
【０１６０】
外部からHD信号またはSD信号が入力されると、この記録処理は開始する。
【０１６１】
ステップＳ２１において、光ディスク記録再生装置１−２は、SD信号が入力されたか否かを判定する。
【０１６２】
SD信号が端子１４を介してSD信号入力部１５に入力されると、ステップＳ２１においてＹＥＳであると判定され、そのSD信号が、SD本線映像圧縮部１６に提供されるともに、アップコンバート部３５に提供される。これにより、処理はステップＳ２２に進む。
【０１６３】
ステップＳ２２において、SD本線映像圧縮部１６は、SD信号からSD本線映像信号を生成する。
【０１６４】
また、ステップＳ２３において、アップコンバート３５は、SD信号からHD信号を生成し、そのHD信号を切替部２０を介してProxy映像圧縮部１０１に提供する。そして、ステップＳ２４において、Proxy映像圧縮部１０１は、そのHD信号からSD用Proxy信号を生成する。
【０１６５】
なお、図８の例では、説明の便宜上、ステップＳ２２の処理後に、ステップＳ２３とＳ２４の一連の処理が実行されるように記載されているが、ステップＳ２２の処理中に、ステップＳ２３とＳ２４の一連の処理が独立して実行されるようになされてもよい。即ち、SD本線映像信号の生成処理中またはその前後に、それに対応するSD用Proxy信号の生成処理が実行されるようになされてもよい。
【０１６６】
ステップＳ２２の処理で生成されたSD本線映像信号と、ステップＳ２３とＳ２４の一連の処理で生成されたSD用Proxy信号とが光ディスク記録／再生部１８に提供されると、処理はステップＳ２５に進む。
【０１６７】
ステップＳ２５において、光ディスク記録／再生部１８は、SD本線映像信号とSD用Proxy信号とを光ディスク５１に記録する。これにより記録処理は終了となる。
【０１６８】
なお、図８の例では、説明の便宜上、ステップＳ２２と、ステップＳ２３とＳ２４の一連の処理が何れも終了した後にステップＳ２５の処理が実行されるように記載されているが、ステップＳ２２、または、ステップＳ２３とＳ２４の一連の処理終了後、他方の処理の段階のいかんに関わらず直ちに、生成されたSD本線映像信号またはSD用Proxy信号が光ディスク５１に記録されるようになされてもよい。
【０１６９】
このように、図５の例の光ディスク記録再生装置１−２においては、SD信号が入力されると、ステップＳ２１の処理でYESであると判定されて、ステップＳ２２乃至Ｓ２５の処理が実行され、その結果、そのSD信号に対応するSD本線映像信号とSD用Proxy信号とが光ディスク５１に記録される。
【０１７０】
これに対して、HD信号が入力されると、ステップＳ２１の処理でNOであると判定されて、次のようなステップＳ２６乃至Ｓ２８の処理が実行され、その結果、そのHD信号に対応するHD本線映像信号とHD用Proxy信号とが光ディスク５１に記録される。
【０１７１】
即ち、HD信号が端子１１を介してHD信号入力部１２に入力されると、ステップＳ２１においてＮＯであると判定され、そのHD信号が、HD本線映像圧縮部１３に提供されるともに、切替部２０を介してProxy映像圧縮部１０１に提供される。これにより、処理はステップＳ２６に進む。
【０１７２】
ステップＳ２６において、HD本線映像圧縮部１３は、HD信号からHD本線映像信号を生成する。
【０１７３】
また、ステップＳ２７において、Proxy映像圧縮部１０１は、HD信号からHD用Proxy信号を生成する。
【０１７４】
なお、図８の例では、説明の便宜上、ステップＳ２６の処理後にステップＳ２７の処理が実行されるように記載されているが、ステップＳ２６の処理中にステップＳ２７の処理が独立して実行されるようになされてもよい。即ち、HD本線映像信号の生成処理中またはその前後に、それに対応するHD用Proxy信号の生成処理が実行されるようになされてもよい。
【０１７５】
ステップＳ２６の処理で生成されたHD本線映像信号と、ステップＳ２７の処理で生成されたProxy信号とが光ディスク記録／再生部１８に提供されると、処理はステップＳ２８に進む。
【０１７６】
ステップＳ２８において、光ディスク記録／再生部１８は、HD本線映像信号とHD用Proxy信号とを光ディスク５１に記録する。これにより記録処理は終了となる。
【０１７７】
なお、図８の例では、説明の便宜上、ステップＳ２６とＳ２７の処理が何れも終了した後に、ステップＳ２８の処理が実行されるように記載されているが、ステップＳ２６またはステップＳ２７の処理終了後、他方の処理の段階のいかんに関わらず直ちに、生成されたHD本線映像信号またはHD用Proxy信号が光ディスク５１に記録されるようになされてもよい。
【０１７８】
また、図５の例の光ディスク記録再生装置１−２は、Proxy信号再生処理も実行できる。ただし、かかるProxy信号再生処理については、図１８の例の光ディスク再生装置１１１−２（図５の例の光ディスク記録再生装置１−２のうちの再生機能のみを有する装置）のProxy信号再生処理として、図１９のフローチャートを参照して後述する。
【０１７９】
以上説明したように、図１の例の光ディスク記録再生装置１−１でも、図５の例の光ディスク記録再生装置１−２でも、画サイズ縮小タイプProxy信号といった同一のフォーマットの信号を光ディスク５１に記録することができる。
【０１８０】
これは、図１の例のProxy映像圧縮部２１の図２の圧縮符号化部７２と、図５の例のProxy映像圧縮部１０１の図６の圧縮符号化部１１２とが同様の機能と構成を有しているからである。
【０１８１】
即ち、圧縮符号化部７２と圧縮符号化部１１２との入力信号は何れも、水平×垂直の画素数が３５２×２４０の画サイズを有する画サイズ縮小信号といった同一フォーマットの信号とされ、かつ、その画サイズ縮小信号に対して同様の処理が圧縮符号化部７２と圧縮符号化部１１２との何れにおいても施されるため、その結果得られる信号、即ち、圧縮符号化部１１２と圧縮符号化部７２との出力信号は何れも、画サイズ縮小タイプProxy信号といった同一フォーマットの信号になるのである。
【０１８２】
ただし、この場合、SD信号やHD信号から、画サイズ縮小信号に変換する処理が必要となる。かかる処理のうちの、SD信号から画サイズ縮小信号に変換する処理を実行するブロックが図２のSD/Proxy画サイズ変換部７１であり、一方、HD信号から画サイズ縮小信号に変換する処理を実行するブロックが図６のHD/Proxy画サイズ変換部１１１である。
【０１８３】
従って、図１の例のProxy映像圧縮部２１には、図２のSD/Proxy画サイズ変換部７１しか搭載されていないため、HD信号はダウンコンバート部１９により予めSD信号に変換された上で、Proxy映像圧縮部２１に入力されるようになされている。これに対して、図５の例のProxy映像圧縮部１０１には、図６のHD/Proxy画サイズ変換部１１１しか搭載されていないため、SD信号はアップコンバート部３５により予めHD信号に変換された上で、Proxy映像圧縮部１０１に入力されるようになされている。
【０１８４】
そこで、HD信号とSD信号とを、SD信号またはHD信号に変換することなくそのままの形態で入力させたい場合、例えば、図９に示されるように、図２のSD/Proxy画サイズ変換部７１と同様の機能と構成を有するSD/Proxy画サイズ変換部２１１、および、図６のHD/Proxy画サイズ変換部１１１と同様の機能と構成を有するHD/Proxy画サイズ変換部２１２の両者を搭載したProxy映像圧縮部２０１を採用すればよい。
【０１８５】
即ち、図９は、Proxy映像圧縮部の詳細な構成例であって、図２や図６の例とは異なる例を示している。
【０１８６】
図９の例では、Proxy映像圧縮部２０１は、上述したSD/Proxy画サイズ変換部２１１およびHD/Proxy画サイズ変換部２１２に加えて、切替部２１３および圧縮符号化部２１４を含むように構成されている。
【０１８７】
光ディスク５１にSD本線映像信号が記録される場合、それに対応するSD信号がSD/Proxy画サイズ変換部２１１に入力される。一方、光ディスク５１にHD本線映像信号が記録される場合、それに対応するHD信号がHD/Proxy画サイズ変換部２１２に入力される。
【０１８８】
SD/Proxy画サイズ変換部２１１は、入力されたSD信号に対して、その画サイズ（例えば７２０画素の４８０有効ラインに対応する画サイズ）を縮小させる処理、具体的には例えば水平×垂直の画素数が３５２×２４０の画サイズに変換する処理を施し、その結果得られる画サイズ縮小信号を切替部２１３に提供する。
【０１８９】
一方、HD/Proxy画サイズ変換部２１２は、入力されたHD信号に対して、その画サイズ（例えば水平×垂直の画素数が１９２０×１０８０の画サイズ）を縮小させる処理、具体的には例えば水平×垂直の画素数が３５２×２４０の画サイズに変換する処理を施し、その結果得られる画サイズ縮小信号を切替部２１３に提供する。
【０１９０】
切替部２１３は、図視せぬコントロール部等の制御に基づいて、その入力を、SD/Proxy画サイズ変換部２１１側とHD/Proxy画サイズ変換部２１２側とのうちのいずれか一方に切り替える。
【０１９１】
具体的には、切替部２１３の入力がSD/Proxy画サイズ変換部２１１側に切り替えられた場合、SD/Proxy画サイズ変換部２１１から出力された画サイズ縮小信号が、切替部２１３に入力されて圧縮符号化部２１４に提供される。
【０１９２】
一方、切替部２１３の入力がHD/Proxy画サイズ変換部２１２側に切り替えられた場合、HD/Proxy画サイズ変換部２１２から出力された画サイズ縮小信号が、切替部２１３に入力されて圧縮符号化部２１４に提供される。
【０１９３】
圧縮符号化部２１４は、図２の圧縮符号化部７２や図６の圧縮符号化部１１２と同様の機能と構成を有している。即ち、圧縮符号化部２１４は、切替部２１３から提供された画サイズ縮小信号を例えばMPEG方式で圧縮符号化（エンコード）し、その結果得られるES信号をProxy信号として（より正確には画サイズ縮小タイプProxy信号）として光ディスク記録/再生部１８（後述する図１１）に提供する。
【０１９４】
即ち、SD/Proxy画サイズ変換部２１１によりSD信号から変換された画サイズ縮小信号が、切替部２１３を介して圧縮符号化部２１４に提供された場合、SD用Proxy信号が圧縮符号化部２１４により生成されて出力される。
【０１９５】
これに対して、HD/Proxy画サイズ変換部２１２によりHD信号から変換された画サイズ縮小信号が、切替部２１３を介して圧縮符号化部２１４に提供された場合、HD用Proxy信号が圧縮符号化部２１４により生成されて出力される。
【０１９６】
このような図９の例のProxy映像圧縮部２０１に対応するProxy映像伸張部の構成例が、図１０に示されている。
【０１９７】
図１０の例のProxy映像伸張部２０２は、伸張復号部２２１、切替部２２２、Proxy/SD画サイズ変換部２２３、および、Proxy/HD画サイズ変換部２２４を含むように構成されている。
【０１９８】
伸張復号部２２１は、図３の伸張復号部８１や図７の伸張復号部１２１と同様の機能と構成を有している。即ち、伸張復号部２２１は、光ディスク記録／再生部１８（後述する図１１参照）により光ディスク５１から読み出されたProxy信号（ES信号）を、MPEG方式で伸張復号（デコード）し、その結果得られる画サイズ縮小信号、即ち、図９の切替部２１３の出力信号の復元信号を、切替部２２２に提供する。
【０１９９】
切替部２２２は、図視せぬコントロール部等の制御に基づいて、その出力を、Proxy/SD画サイズ変換部２２３側とProxy/HD画サイズ変換部２２４側とのうちのいずれか一方に切り替える。
【０２００】
具体的には、伸張復号部２２１にSD用Proxy信号が入力された場合（図視せぬコントロール部等によりそのように判断された場合）、切替部２２２の入力がProxy/SD画サイズ変換部２２３側に切り替えられて、伸張復号部２２１から出力された画サイズ縮小信号が、切替部２２２に入力されてProxy/SD画サイズ２２３に提供される。
【０２０１】
一方、伸張復号部２２１にHD用Proxy信号が入力された場合（図視せぬコントロール部等によりそのように判断された場合）、切替部２２２の入力がProxy/HD画サイズ変換部２２４側に切り替えられて、伸張復号部２２１から出力された画サイズ縮小信号が、切替部２２２に入力されてProxy/HD画サイズ２２４に提供される。
【０２０２】
Proxy/SD画サイズ変換部２２３は、上述したように、図３のProxy/SD画サイズ変換部８２と同様の機能と構成を有している。即ち、Proxy/SD画サイズ変換部２２３は、切替部２２２から提供された画サイズ縮小信号に対して、その画サイズ（例えば水平×垂直の画素数が３５２×２４０の画サイズ）をSD信号の画サイズに拡大させる処理、具体的には例えば７２０画素の４８０有効ラインに対応する画サイズに変換する処理を施し、その結果得られるSD信号を出力する。なお、出力先の具体例については、図１１を参照して後述する。
【０２０３】
換言すると、Proxy/SD画サイズ変換部２２３は、図９のSD/Proxy画サイズ変換部２１１が実行する変換処理に対して、その逆変換処理を実行する。
【０２０４】
一方、Proxy/HD画サイズ変換部２２４は、上述したように、図７のProxy/HD画サイズ変換部１２２と同様の機能と構成を有している。即ち、Proxy/HD画サイズ変換部２２４は、切替部２２２から提供された画サイズ縮小信号に対して、その画サイズ（例えば水平×垂直の画素数が３５２×２４０の画サイズ）をHD信号の画サイズに拡大させる処理、具体的には例えば水平×垂直の画素数が１９２０×１０８０の画サイズに変換する処理を施し、その結果得られるHD信号を出力する。なお、出力先の具体例については、図１１を参照して後述する。
【０２０５】
換言すると、Proxy/HD画サイズ変換部２２４は、図９のHD/Proxy画サイズ変換部２１２が実行する変換処理に対して、その逆変換処理を実行する。
【０２０６】
このようなProxy映像圧縮部２０１とProxy映像伸張部２０２とを搭載した光ディスク記録再生装置の一構成例が、図１１に示されている。即ち、図１１は、本発明を適用した光ディスク記録再生装置の構成例であって、図１や図５の例とは異なる例を示す図である。
【０２０７】
なお、図１１の例の光ディスク記録再生装置１−３において、図１の例と対応する部分には同一の符号を付してあり、その説明は適宜省略する。
【０２０８】
図１１の例の光ディスク記録再生装置１−３と、図１の例の光ディスク記録再生装置１−１とを比較するに、図１１の例では、図１（図２）のProxy映像圧縮部２１の代わりに図９のProxy映像圧縮部２０１が設けられ、図１（図３）のProxy映像伸張部３４の代わりに図１０のProxy映像伸張部２０２が設けられ、かつ、図１の切替部３１の代わりに切替部２０３が設けられている。また、上述したように、Proxy映像圧縮部２０１には、HD信号入力部１２の出力信号であるHD信号と、SD信号入力部１５の出力信号であるSD信号とが何れも直接入力されるので、図１の例では設けられていた切替部２０は、図１１の例では省略されている。図１１の例の光ディスク記録再生装置１−３のその他の構成要素（ブロック）は、図１の例の対応する符号のブロックと基本的に同様の構成と機能を有している。ただし、各ブロックの入出力先が若干異なっている。
【０２０９】
以下、図１１の例の光ディスク記録再生装置１−３の構成のうちの、図１の例の光ディスク記録再生装置１−１の構成とは異なる部分についてのみ説明する。
【０２１０】
SD信号入力部１５の出力先、即ち、SD信号の提供先は、図１の例ではSD本線映像圧縮部１６と切替部２０とされていたが、図１１の例ではSD本線映像圧縮部１６とProxy映像圧縮部２０１（具体的には上述した図９のSD/Proxy画サイズ変換部２１１）とされている。
【０２１１】
HD信号入力部１２の出力先、即ち、HD信号の提供先は、図１の例ではHD本線映像圧縮部１３とダウンコンバート部１９とされていたが、図１１の例ではHD本線映像圧縮部１３とダウンコンバート部１９とに加えてさらにProxy映像圧縮部２０１（具体的には上述した図９のHD/Proxy画サイズ変換部２１２）とされている。
【０２１２】
ダウンコンバート部１９の出力先は、図１の例では切替部２０と切替部２６とされていたが、図１１の例では切替部２６のみとされている。また、ダウンコンバート部１９の入力信号（HD信号）は、図１の例では、HD信号入力部１２とHD本線映像伸張部３０との出力信号（HD信号）とされていたが、図１１の例では、HD信号入力部１２とHD本線映像伸張部３０との出力信号（HD信号）に加えて、さらにProxy映像伸張部２０２の出力信号のうちのHD信号（具体的には上述した図１０のProxy/HD画サイズ変換部２２４から出力されるHD信号）とされている。
【０２１３】
アップコンバート部３５の出力先は、図１の例では切替部３１とされていたが、図１１の例では切替部２０３とされている。また、アップコンバート部３５の入力信号（SD信号）は、図１の例では、切替部２６の出力信号（SD信号）とされていたが、図１１の例では、切替部２６の出力信号（SD信号）に加えて、さらにProxy映像伸張部２０２の出力信号のうちのSD信号（具体的には上述した図１０のProxy/SD画サイズ変換部２２３から出力されるSD信号）とされている。
【０２１４】
また、切替部２６の入力は、図１の例では、ダウンコンバート部１９側、Proxy映像伸張部３４側、および、SD本線映像伸張部２５側とされていたが、図１１の例では、ダウンコンバート部１９側、Proxy映像伸張部２０２側、および、SD本線映像伸張部２５側とされている。
【０２１５】
切替部２０３は、図視せぬコントロール部等の制御に基づいて、その入力を、HD本線映像伸張部３０側、アップコンバート部３５側、および、Proxy映像伸張部２０２側（正確には上述した図１０のProxy/HD画サイズ変換部２２４側）のうちのいずれか一方に切り替える。
【０２１６】
具体的には、切替部１０３の入力がHD本線映像伸張部３０側に切り替えられた場合、HD本線映像伸張部３０から出力されたHD信号、即ち、HD本線映像信号から変換されたHD信号が、切替部２０３に入力されてHD信号出力部３２に提供される。
【０２１７】
また、切替部２０３の入力がアップコンバート部３５側に切り替えられた場合、アップコンバート部３５から出力されたHD信号、即ち、SD信号に対してアップコンバート処理が施された結果得られるHD信号が、切替部２０３に入力されてHD信号出力部３２に提供される。
【０２１８】
また、切替部１０３の入力がProxy映像伸張部２０２側に切り替えられた場合、Proxy映像伸張部２０２から出力されたHD信号、より正確には上述した図１０のProxy/HD画サイズ変換部２２４から出力されたHD信号、即ち、HD用Proxy信号から変換されたHD信号が、切替部２０３に入力されてHD信号出力部３２に提供される。
【０２１９】
以上、図１１の例の光ディスク記録再生装置１−３の構成のうちの、図１の例の光ディスク記録再生装置１−１の構成とは異なる部分について説明した。即ち、図１１の例の光ディスク記録再生装置１−３の構成のうちの上述した部分以外の部分は、図１の例の光ディスク記録再生装置１−１の対応する部分と同様の構成とされている。
【０２２０】
次に、図１２のフローチャートを参照して、かかる図１１の例の光ディスク記録再生装置１−３の記録処理の一例について説明する。
【０２２１】
外部からHD信号またはSD信号が入力されると、この記録処理は開始する。
【０２２２】
ステップＳ４１において、光ディスク記録再生装置１−３は、SD信号が入力されたか否かを判定する。
【０２２３】
SD信号が端子１４を介してSD信号入力部１５に入力されると、ステップＳ４１においてＹＥＳであると判定され、そのSD信号が、SD本線映像圧縮部１６に提供されるともに、Proxy映像圧縮部２０１に提供される。これにより、処理はステップＳ４２に進む。
【０２２４】
ステップＳ４２において、SD本線映像圧縮部１６は、SD信号からSD本線映像信号を生成する。
【０２２５】
また、ステップＳ４３において、Proxy映像圧縮部２０１は、そのSD信号からSD用Proxy信号を生成する。
【０２２６】
なお、図８の例では、説明の便宜上、ステップＳ４２の処理後にステップＳ４３の処理が実行されるように記載されているが、ステップＳ４２の処理中にステップＳ４３の処理が独立して実行されるようになされてもよい。即ち、SD本線映像信号の生成処理中またはその前後に、それに対応するSD用Proxy信号の生成処理が実行されるようになされてもよい。
【０２２７】
ステップＳ４２の処理で生成されたSD本線映像信号と、ステップＳ４３の処理で生成されたSD用Proxy信号とが光ディスク記録／再生部１８に提供されると、処理はステップＳ４４に進む。
【０２２８】
ステップＳ４４において、光ディスク記録／再生部１８は、SD本線映像信号とSD用Proxy信号とを光ディスク５１に記録する。これにより記録処理は終了となる。
【０２２９】
なお、図１の例では、説明の便宜上、ステップＳ４２とＳ４３の処理が何れも終了した後にステップＳ４４の処理が実行されるように記載されているが、ステップＳ４２またはステップＳ４３の処理終了後、他方の処理の段階のいかんに関わらず直ちに、生成されたSD本線映像信号またはSD用Proxy信号が光ディスク５１に記録されるようになされてもよい。
【０２３０】
このように、図１１の例の光ディスク記録再生装置１−３においては、SD信号が入力されると、ステップＳ４１の処理でYESであると判定されて、ステップＳ４２乃至Ｓ４４の処理が実行され、その結果、そのSD信号に対応するSD本線映像信号とSD用Proxy信号とが光ディスク５１に記録される。
【０２３１】
これに対して、HD信号が入力されると、ステップＳ４１の処理でNOであると判定されて、次のようなステップＳ４５乃至Ｓ４７の処理が実行され、その結果、そのHD信号に対応するHD本線映像信号とHD用Proxy信号とが光ディスク５１に記録される。
【０２３２】
即ち、HD信号が端子１１を介してHD信号入力部１２に入力されると、ステップＳ４１においてＮＯであると判定され、そのHD信号が、HD本線映像圧縮部１３に提供されるともに、Proxy映像圧縮部２０１に提供される。これにより、処理はステップＳ４５に進む。
【０２３３】
ステップＳ４５において、HD本線映像圧縮部１３は、HD信号からHD本線映像信号を生成する。
【０２３４】
また、ステップＳ４６において、Proxy映像圧縮部２０１は、HD信号からHD用Proxy信号を生成する。
【０２３５】
なお、図１２の例では、説明の便宜上、ステップＳ４５の処理後にステップＳ４６の処理が実行されるように記載されているが、ステップＳ４５の処理中にステップＳ４６の処理が独立して実行されるようになされてもよい。即ち、HD本線映像信号の生成処理中またはその前後に、それに対応するHD用Proxy信号の生成処理が実行されるようになされてもよい。
【０２３６】
ステップＳ４５の処理で生成されたHD本線映像信号と、ステップＳ４６の処理で生成されたHD用Proxy信号とが光ディスク記録／再生部１８に提供されると、処理はステップＳ４７に進む。
【０２３７】
ステップＳ４７において、光ディスク記録／再生部１８は、HD本線映像信号とHD用Proxy信号とを光ディスク５１に記録する。これにより記録処理は終了となる。
【０２３８】
なお、図１２の例では、説明の便宜上、ステップＳ４５とＳ４６の処理が何れも終了した後に、ステップＳ４７の処理が実行されるように記載されているが、ステップＳ４５またはＳ４６の処理終了後、他方の処理の段階のいかんに関わらず直ちに、生成されたHD本線映像信号またはHD用Proxy信号が光ディスク５１に記録されるようになされてもよい。
【０２３９】
また、図１１の例の光ディスク記録再生装置１−３は、Proxy信号再生処理も実行できる。ただし、かかるProxy信号再生処理については、図２１の例の光ディスク再生装置１１１−３（図１１の例の光ディスク記録再生装置１−３のうちの再生機能のみを有する装置）のProxy信号再生処理として、図２２のフローチャートを参照して後述する。
【０２４０】
以上説明した図１の例の光ディスク記録再生装置１−１、図５の例の光ディスク記録再生装置１−２、図１１の例の光ディスク記録再生装置１−３等（以下、これらを個々に区別する必要が無い場合、単に光ディスク記録再生装置１と称する）が、放送局から放送される放送番組（コンテンツ）の一部を記録したり再生（送信）する装置として適用された場合の情報処理システムの構成例が、図１３に示されている。即ち、図１３は、本発明が適用される光ディスク記録再生装置１を含む情報処理システムの構成例を示している。
【０２４１】
図１３の例の情報処理システムは、光ディスク記録再生装置１、編集装置２５１、および、放送局２５２（実際には放送局内に設置される複数の情報処理装置等からなるシステム２５２）を含むように構成されている。
【０２４２】
図１３の例では、光ディスク記録再生装置１は、カムコーダ型やデッキ型の装置として実現されている。
【０２４３】
以下、この情報処理システムの動作（処理）の概略について説明する。
【０２４４】
なお、ここでは、光ディスク記録再生装置１は、取材先等、放送局２５２にとって遠隔地に存在するとする。また、編集装置２５１は、光ディスク記録再生装置１とは独立した任意の場所に存在することが可能であり、例えば放送局２５２内に存在してもよいが、ここでは、光ディスク記録再生装置１の周辺に存在するとする。
【０２４５】
この場合、この情報処理システムにおいては、例えば図１３に示されるステップＳａ乃至Ｓｃの処理が実行可能とされている。ただし、ステップＳｃの処理とは、ステップＳｃ１ａ若しくはＳｃ１ｂと、Ｓｃ２とからなる処理をいう。
【０２４６】
ステップＳａの処理とは、次のような処理をいう。即ち、光ディスク記録再生装置１は、放送局２５２への伝送対象のコンテンツを、SD本線映像信号またはHD本線映像信号（以下、SD信号とHD信号とを個々に区別する必要が無い場合、これらをまとめて本線映像信号と称する）と、Proxy信号といった２つの形態でそれぞれ光ディスク５１に記録する。かかる光ディスク５１を放送局２５２に人間等が届ける（例えばいわゆる宅配便等で届ける）。これにより、本線映像信号とProxy映像信号とが、光ディスク５１を介して、光ディスク記録再生装置１から放送局２５２に伝送される。以上の一連の処理が、ステップＳａの処理である。
【０２４７】
しかしながら、ここでは、光ディスク記録再生装置１は、放送局２５２にとって遠隔地に存在しているので、ステップＳａの処理は長時間かかることになる。即ち、本線映像信号やProxy信号の形態で光ディスク５１に記録されたコンテンツが放送局２５２に届くまでには、長時間かかることになる。光ディスク５１を放送局２５２に人間等が届ける時間が長時間となるからである。
【０２４８】
このため、例えば、ニュース番組等が放送中に光ディスク記録再生装置１により撮影されたコンテンツを、そのニュース番組内で緊急放送したい（緊急映像として放送したい）、という第１の要望が挙げられる場合が多々あるが、ステップＳａの処理では第１の要望に応えることは非常に困難である。
【０２４９】
そこで、緊急放送という特殊性を考慮してある程度の低画質での放送が許されるのであれば、例えば次のようなステップＳｂの処理を実行することで第１の要望に応えることが容易に可能になる。
【０２５０】
即ち、光ディスク記録再生装置１には、上述したように、ネットワーク接続部２２（図１等）が搭載されている。そこで、光ディスク記録再生装置１は、例えば、コンテンツを、ネットワーク経由で放送局２５２に送信する。かかる処理がステップＳｂの処理である。
【０２５１】
この場合、コンテンツの送信形態は、上述したように、本線映像信号でもよいし、Proxy信号でもよい。ただし、画サイズ縮小タイプProxy信号の方が、本線映像信号よりもデータ量が小さくその分だけ送信時間を短縮できるので、コンテンツの送信形態として好適である。
【０２５２】
また、緊急放送とは言わないまでも可能な限り早くコンテンツを編集した上で放送したいが、ただし、高画質で放送したい、即ち、本線映像信号で放送したい、という第２の要望が挙げられる場合も多々ある。
【０２５３】
この場合、本線映像信号としては、ステップＳａの処理により放送局２５２に届けられた光ディスク５１に記録されているものが利用されることになる。しかしながら、光ディスク５１が届けられた後に、その光ディスク５１に記録されている本線映像信号等を用いて編集していたのでは、第２の要望に応えること、即ち、コンテンツを可能な限り早く編集して放送することは非常に困難である。
【０２５４】
そこで、例えば次のようなステップＳｃの処理を実行することで、第２の要望に応えることが容易に可能になる。
【０２５５】
即ち、編集装置２５１は、例えばパーソナルコンピュータ等で構成され、ユーザ（編集者）は、この編集装置２５１を操作することで、Proxy信号を利用したラフな編集作業を実施したり、Proxy信号に対応する映像を確認したり検索する作業を実施することができるとする。換言すると、そのような作業を可能とする機能が搭載された編集装置２５１を、ユーザが予め用意しているとする。
【０２５６】
なお、ここで言うラフな編集作業とは、例えば編集点等を時間軸上の位置で示す時間情報を作成する作業等、具体的には例えば、タイムコードエディットリストを作成する作業等をいう。
【０２５７】
また、編集装置２５１が取り扱えるProxy信号の種類は、特に画サイズ縮小タイプProxy信号に限定されず任意の種類でよい。
【０２５８】
この場合、ステップＳｃ１ａの処理として、光ディスク記録再生装置１は、上述したステップＳｂの処理と同様に、Proxy信号を編集装置２５１に送信する。ただし、編集装置２５１が光ディスク記録再生装置１の周辺に存在するならば、ステップＳａの処理と同様に、光ディスク５１を介してProxy信号を編集装置２５１に伝送する処理を、ステップＳｃ１ａの処理としてもよい。
【０２５９】
なお、ステップＳｃ１ａの処理の代わりに、上述したステップＳｂの処理で放送局２５２に送信されたProxy信号を、その放送局２５２が編集装置２５１に送信する、といったステップＳｃ１ｂの処理が実行されてもよい。
【０２６０】
即ち、光ディスク記録再生装置１から編集装置２５１までのProxy信号の伝送経路は特に限定されず、任意でよい。
【０２６１】
ユーザ（編集者）は、その伝送経路によらず編集装置２５１に伝送されたProxy信号を利用して、上述したラフな編集作業等を実施する。
【０２６２】
その後、ステップＳｃ２の処理として、編集装置２５１は、その編集結果を示す情報、例えばタイムコードエディットリスト等の時間情報を放送局２５２に送信する。
【０２６３】
このようなステップＳｃの処理により、ステップＳａの処理により光ディスク５１が放送局２５２に届けられるよりも前に、時間情報等の編集結果が放送局２５２に到達することになる。その結果、光ディスク５１が届けられると直ちに、光ディスク５１に記録された本線映像信号を、その時間情報等の編集結果を利用して放送することが可能になる。即ち、上述した第２の要望に応えることが可能になる。
【０２６４】
さらに、ステップＳｃ１ｂの処理として、単にProxy信号を編集装置２５１に送信する処理だけでなく、次のような処理も実行できる。
【０２６５】
即ち、一般的には、編集装置２５１と同様の機能を有する装置が放送局２５２内にも存在する。そこで、放送局２５２内にいる人間（いわゆるディレクタ等）が、その装置を利用して、ステップＳｂにより送信されてきたProxy信号に対応する映像を確認したり検索して、編集指示、例えば、その映像のうちの何れの部分の映像を放送したいのか等の指示（情報）を作成する。そして、ステップＳｃ１ｂの処理として、その指示を、放送局２５２内の装置が編集装置２５１に送信する。これにより、編集装置２５１のユーザ（編集者）は、放送局２５２内の人間（いわゆるディレクタ等）の意向（指示）に沿った編集を行うことが容易に可能になる。
【０２６６】
ここで注目すべき点は、説明の簡略上、SD信号とHD信号との区別をしないで説明したが、SD用Proxy信号もHD用Proxy信号も同一フォーマットであるので、上述したステップＳａ乃至Ｓｃの処理は、SD信号とHD信号ともに共通で実行できる点、即ち、この図１３の例の情報処理システムがSD信号とHD信号と共通で利用できる点である。
【０２６７】
ところで、本発明は、上述した光ディスク記録再生装置１のみならず、様々な装置に適用可能である。例えば、本発明は、記録専用の光ディスク記録装置や、再生専用の光ディスク再生装置にも適用可能である。
【０２６８】
具体的には例えば、本発明が適用された装置としての各種実施の形態が図１４乃至図２３に示されている。
【０２６９】
図１４の例の光ディスク記録装置１０１−１は、図１の例の光ディスク記録再生装置１−１のうちの記録機能を実現するためのブロックからなる装置、即ち、図１の例の光ディスク記録再生装置１−１のうちの再生機能を実現するためのブロックが省略された装置である。なお、各ブロックについては、図１を用いて説明済みであるので、それらの説明については省略する。また、その記録処理の一例は、図４のフローチャートを参照して説明済みであるので、その説明については省略する。
【０２７０】
これに対して、図１５の例の光ディスク再生装置１１１−１は、図１の例の光ディスク記録再生装置１−１のうちの再生機能を実現するためのブロックからなる装置、即ち、図１の例の光ディスク記録再生装置１−１のうちの記録機能を実現するためのブロックが省略された装置である。なお、各ブロックについては、図１を用いて説明済みであるので、それらの説明については省略する。
【０２７１】
ここで、図１６のフローチャートを参照して、図１５の例の光ディスク再生装置１１１−１が実行するProxy信号再生処理の一例について説明する。
【０２７２】
ステップＳ６１において、光ディスク再生部１８は、光ディスク５１からProxy信号を読み出して、Proxy映像伸張部３４に提供する。
【０２７３】
ステップＳ６２において、Proxy映像伸張部３４は、Proxy信号からSD信号に変換して、切替部２６に提供する。
【０２７４】
ステップＳ６３において、光ディスク再生装置１１１−１（そのうちの、図示せぬコントロール部等）は、SD信号はHD用Proxy信号から変換されたものであるか否かを判定する。
【０２７５】
ステップＳ６３において、SD信号はHD用Proxy信号から変換されたものではないと判定された場合、即ち、SD信号はSD用Proxy信号から変換されたものであると判定された場合、処理はステップＳ６４に進む。
【０２７６】
ステップＳ６４において、SD信号出力部２７は、切替部２６から提供されてくるSD信号を端子２８を介して再生（出力）する。これにより、Proxy信号再生処理は終了となる。
【０２７７】
これに対して、ステップＳ６３において、SD信号はHD用Proxy信号から変換されたものであると判定された場合、処理はステップＳ６５に進む。
【０２７８】
ステップＳ６５において、アップコンバート部３５は、切替部２６から提供されたSD信号からHD信号に変換し、そのHD信号を切替部３１を介してHD信号出力部３２に提供する。
【０２７９】
ステップＳ６６において、HD信号出力部３２は、切替部３１から提供されてくるHD信号を端子３３を介して再生（出力）する。これにより、Proxy信号再生処理は終了となる。
【０２８０】
なお、上述したように、図１５の例の光ディスク再生装置１１１−１は、図１の例の光ディスク記録再生装置１−１のうちの再生機能を実現するためのブロックからなる装置である。従って、図１の例の光ディスク記録再生装置１−１も、図１６の例のProxy信号再生処理を当然ながら実行できる。
【０２８１】
また、図１７の例の光ディスク記録装置１０１−２は、図５の例の光ディスク記録再生装置１−２のうちの記録機能を実現するためのブロックからなる装置、即ち、図５の例の光ディスク記録再生装置１−２のうちの再生機能を実現するためのブロックが省略された装置である。なお、各ブロックについては、図５を用いて説明済みであるので、それらの説明については省略する。また、その記録処理の一例は、図８のフローチャートを参照して説明済みであるので、その説明については省略する。
【０２８２】
これに対して、図１８の例の光ディスク再生装置１１１−２は、図５の例の光ディスク記録再生装置１−２のうちの再生機能を実現するためのブロックからなる装置、即ち、図５の例の光ディスク記録再生装置１−２のうちの記録機能を実現するためのブロックが省略された装置である。なお、各ブロックについては、図５を用いて説明済みであるので、それらの説明については省略する。
【０２８３】
ここで、図１９のフローチャートを参照して、図１８の例の光ディスク再生装置１１１−２が実行するProxy信号再生処理の一例について説明する。
【０２８４】
ステップＳ８１において、光ディスク再生部１８は、光ディスク５１からProxy信号を読み出して、Proxy映像伸張部１０２に提供する。
【０２８５】
ステップＳ８２において、Proxy映像伸張部１０２は、Proxy信号からHD信号に変換して、切替部１０３とダウンコンバート部１９に提供する。
【０２８６】
ステップＳ８３において、光ディスク再生装置１１１−１（そのうちの、図示せぬコントロール部等）は、HD信号はSD用Proxy信号から変換されたものであるか否かを判定する。
【０２８７】
ステップＳ８３において、HD信号はSD用Proxy信号から変換されたものではないと判定された場合、即ち、HD信号はHD用Proxy信号から変換されたものであると判定された場合、処理はステップＳ８４に進む。
【０２８８】
ステップＳ８４において、HD信号出力部３２は、切替部１０３から提供されてくるHD信号を端子３３を介して再生（出力）する。これにより、Proxy信号再生処理は終了となる。
【０２８９】
これに対して、ステップＳ８３において、HD信号はSD用Proxy信号から変換されたものであると判定された場合、処理はステップＳ８５に進む。
【０２９０】
ステップＳ８５において、ダウンコンバート部１９は、Proxy映像伸張部１０２から提供されたHD信号からSD信号に変換し、そのSD信号を切替部１０４を介してSD信号出力部２７に提供する。
【０２９１】
ステップＳ８６において、SD信号出力部２７は、切替部１０４から提供されてくるSD信号を端子２８を介して再生（出力）する。これにより、Proxy信号再生処理は終了となる。
【０２９２】
なお、上述したように、図１８の例の光ディスク再生装置１１１−２は、図５の例の光ディスク記録再生装置１−２のうちの再生機能を実現するためのブロックからなる装置である。従って、図５の例の光ディスク記録再生装置１−２も、図１９の例のProxy信号再生処理を当然ながら実行できる。
【０２９３】
また、図２０の例の光ディスク記録装置１０１−３は、図１１の例の光ディスク記録再生装置１−３のうちの記録機能を実現するためのブロックからなる装置、即ち、図１１の例の光ディスク記録再生装置１−３のうちの再生機能を実現するためのブロックが省略された装置である。なお、各ブロックについては、図１１を用いて説明済みであるので、それらの説明については省略する。また、その記録処理の一例は、図１２のフローチャートを参照して説明済みであるので、その説明については省略する。
【０２９４】
これに対して、図２１の例の光ディスク再生装置１１１−３は、図１１の例の光ディスク記録再生装置１−３のうちの再生機能を実現するためのブロックからなる装置、即ち、図１１の例の光ディスク記録再生装置１−３のうちの記録機能を実現するためのブロックが省略された装置である。なお、各ブロックについては、図１１を用いて説明済みであるので、それらの説明については省略する。
【０２９５】
ここで、図２２のフローチャートを参照して、図２１の例の光ディスク再生装置１１１−３が実行するProxy信号再生処理の一例について説明する。
【０２９６】
ステップＳ１０１において、光ディスク再生部１８は、光ディスク５１からProxy信号を読み出して、Proxy映像伸張部２０２に提供する。
【０２９７】
ステップＳ１０２において、光ディスク再生装置１１１−１（そのうちの、図示せぬコントロール部等）は、ステップＳ１０１の処理で読み出されたProxy信号は、SD用Proxy信号であるか否かを判定する。
【０２９８】
ステップＳ１０２において、SD用Proxy信号であると判定された場合、処理はステップＳ１０３に進む。
【０２９９】
ステップＳ１０３において、Proxy映像伸張部２０２は、より具体的には、そのうちの図１０の伸張復号部２２１、切替部２２２、およびProxy/SD画サイズ変換部２２３は、Proxy信号からSD信号に変換して、切替部２６に提供する。
【０３００】
ステップＳ１０４において、SD信号出力部２７は、切替部２６から提供されてくるSD信号を端子２８を介して再生（出力）する。これにより、Proxy信号再生処理は終了となる。
【０３０１】
これに対して、ステップＳ１０２において、SD用Proxy信号ではない（即ち、HD用Proxy信号である）と判定された場合、処理はステップＳ１０５に進む。
【０３０２】
ステップＳ１０５において、Proxy映像伸張部２０２は、より具体的には、そのうちの図１０の伸張復号部２２１、切替部２２２、およびProxy/HD画サイズ変換部２２４は、Proxy信号からHD信号に変換して、切替部２０３に提供する。
【０３０３】
ステップＳ１０６において、HD信号出力部３２は、切替部２０３から提供されてくるHD信号を端子３３を介して再生（出力）する。これにより、Proxy信号再生処理は終了となる。
【０３０４】
なお、上述したように、図２１の例の光ディスク再生装置１１１−３は、図１１の例の光ディスク記録再生装置１−３のうちの再生機能を実現するためのブロックからなる装置である。従って、図１１の例の光ディスク記録再生装置１−３も、図２２の例のProxy信号再生処理を当然ながら実行できる。
【０３０５】
ところで、上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０３０６】
図２３は、上述した一連の処理をプログラムにより実行するパーソナルコンピュータの構成の例を示すブロック図である。即ち、上述した光ディスク記録再生装置の全体または一部分（例えば上述したコントロール部等）は、図２３の構成のパーソナルコンピュータとして構成することもできる。
【０３０７】
図２３において、CPU（Central Processing Unit）３０１は、ROM（Read Only Memory）３０２、または記憶部３０８に記憶されているプログラムに従って各種の処理を実行する。RAM（Random Access Memory）３０３には、CPU３０１が実行するプログラムやデータなどが適宜記憶される。これらのCPU３０１、ROM３０２、およびRAM３０３は、バス３０４により相互に接続されている。
【０３０８】
CPU３０１にはまた、バス３０４を介して入出力インタフェース３０５が接続されている。入出力インタフェース３０５には、キーボード、マウス、マイクロホンなどよりなる入力部３０６、ディスプレイ、スピーカなどよりなる出力部３０７が接続されている。CPU３０１は、入力部３０６から入力される指令に対応して各種の処理を実行する。そして、CPU３０１は、処理の結果を出力部３０７に出力する。
【０３０９】
入出力インタフェース３０５に接続されている記憶部３０８は、例えばハードディスクからなり、CPU３０１が実行するプログラムや各種のデータを記憶する。通信部３０９は、インターネットやローカルエリアネットワークなどのネットワークを介して外部の装置と通信する。
【０３１０】
また、通信部３０９を介してプログラムを取得し、記憶部３０８に記憶してもよい。
【０３１１】
入出力インタフェース３０５に接続されているドライブ３１０は、磁気ディスク、光ディスク、光磁気ディスク、或いは半導体メモリなどのリムーバブルメディア３１１が装着されたとき、それらを駆動し、そこに記録されているプログラムやデータなどを取得する。取得されたプログラムやデータは、必要に応じて記憶部３０８に転送され、記憶される。
【０３１２】
また、ドライブ３１０は、リムーバブルメディア３１１が装着されたとき、それらを駆動し、そこにデータなどを記録することもできる。
【０３１３】
コンピュータにインストールされ、コンピュータによって実行可能な状態とされるプログラムを格納するプログラム記録媒体は、図２３に示されるように、磁気ディスク（フレキシブルディスクを含む）、光ディスク（CD-ROM(Compact Disc-Read Only Memory),DVD(Digital Versatile Disc)を含む）、光磁気ディスク、もしくは半導体メモリなどよりなるパッケージメディアであるリムーバブルメディア３１１、または、プログラムが一時的もしくは永続的に格納されるROM３０２や、記憶部３０８を構成するハードディスクなどにより構成される。プログラム記録媒体へのプログラムの格納は、必要に応じてルータ、モデムなどのインタフェースである通信部２０９を介して、ローカルエリアネットワーク、インターネット、デジタル衛星放送といった、有線または無線の通信媒体を利用して行われる。
【０３１４】
また、コンテンツ(HD本線映像信号、SD本線映像信号、SD用Proxy信号、HD用Proxy信号等)の記録先は、上述した例では光ディスク５１（図１等）とされたが、上述した例に特に限定されず、例えばリムーバブルメディア３１１や、記憶部３０８を構成するハードディスクなどでも構わない。
【０３１５】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０３１６】
また、本明細書において、システムとは、複数の装置により構成される装置全体を表すものである。
【図面の簡単な説明】
【０３１７】
【図１】本発明を適用した光ディスク記録再生装置の構成例を示すブロック図である。
【図２】図１の光ディスク記録再生装置のProxy映像圧縮部の詳細な構成例を示すブロック図である。
【図３】図１の光ディスク記録再生装置のProxy映像伸張部の詳細な構成例を示すブロック図である。
【図４】図１の光ディスク記録再生装置の記録処理例を説明するフローチャートである。
【図５】本発明を適用した光ディスク記録再生装置の他の構成例を示すブロック図である。
【図６】図５の光ディスク記録再生装置のProxy映像圧縮部の詳細な構成例を示すブロック図である。
【図７】図５の光ディスク記録再生装置のProxy映像伸張部の詳細な構成例を示すブロック図である。
【図８】図５の光ディスク記録再生装置の記録処理例を説明するフローチャートである。
【図９】本発明を適用したProxy映像圧縮部の詳細な構成例であって、図２や図６の例とは異なる例を示すブロック図である。
【図１０】本発明を適用したProxy映像伸張部の詳細な構成例であって、図３や図７の例とは異なる例を示すブロック図である。
【図１１】本発明を適用した光ディスク記録再生装置の他の構成例であって、図９のProxy映像圧縮部と図１０のProxy映像伸張部を搭載した光ディスク記録再生装置の構成例を示すブロック図である。
【図１２】図１１の光ディスク記録再生装置の記録処理例を説明するフローチャートである。
【図１３】図１、図５、または図１１の光ディスク記録再生装置を含む情報処理システムの構成例とその動作例を示す図である。
【図１４】本発明を適用した光ディスク記録装置の構成例を示すブロック図である。
【図１５】本発明を適用した光ディスク再生装置の構成例を示すブロック図である。
【図１６】図１５の光ディスク再生装置または図１の光ディスク記録再生装置のProxy信号再生処理例を説明するフローチャートである。
【図１７】本発明を適用した光ディスク記録装置の他の構成例を示すブロック図である。
【図１８】本発明を適用した光ディスク再生装置の他の構成例を示すブロック図である。
【図１９】図１８の光ディスク再生装置または図５の光ディスク記録再生装置のProxy信号再生処理例を説明するフローチャートである。
【図２０】本発明を適用した光ディスク記録装置のさらに他の構成例を示すブロック図である。
【図２１】本発明を適用した光ディスク再生装置のさらに他の構成例を示すブロック図である。
【図２２】図２１の光ディスク再生装置または図１１の光ディスク記録再生装置のProxy信号再生処理例を説明するフローチャートである。
【図２３】本発明が適用されるプログラムを実行するパーソナルコンピュータの構成例を示すブロック図である。
【符号の説明】
【０３１８】
１，１−１乃至１−３  光ディスク記録再生装置，  １３  HD本線映像圧縮部，  １６SD本線映像圧縮部，  １８  光ディスク記録／再生部，  １９  ダウンコンバート部，  ２１  Proxy映像圧縮部，  ２２  ネットワーク接続部，  ２５  SD本線映像伸張部，  ２９  表示部，  ３０  HD本線映像伸張部，  ３５  アップコンバート部，  ７１  SD/Proxy画サイズ変換部，  ７２  圧縮符号化部，  ８１  伸張復号部，  ８２  Proxy/SD画サイズ変換部，  １０１  Proxy映像圧縮部，  １０２  Proxy映像伸張部  １１１  HD/Proxy画サイズ変換部，  １１２  圧縮符号化部，  １２１  伸張復号部，  １２２  Proxy/HD画サイズ変換部，  ２０１  Proxy映像圧縮部，  ２０２  Proxy映像伸張部  ２１１  SD/Proxy画サイズ変換部，  ２１２  HD/Proxy画サイズ変換部，  ２１３  切替部，  ２１４  圧縮符号化部，  ２２１  伸張復号部，  ２２２  切替部，  ２２３  Proxy/SD画サイズ変換部，  ２２４  Proxy/HD画サイズ変換部，  ２５１  編集装置，  ２５  放送局，  ３０１  CPU，  ３０２  ROM，  ３０８  記憶部，  ３１１  リムーバブルメディア
【図１】
0004613759.tif 000002
【図２】
0004613759.tif 000003
【図３】
0004613759.tif 000004
【図４】
0004613759.tif 000005
【図５】
0004613759.tif 000006
【図６】
0004613759.tif 000007
【図７】
0004613759.tif 000008
【図８】
0004613759.tif 000009
【図９】
0004613759.tif 000010
【図１０】
0004613759.tif 000011
【図１１】
0004613759.tif 000012
【図１２】
0004613759.tif 000013
【図１３】
0004613759.tif 000014
【図１４】
0004613759.tif 000015
【図１５】
0004613759.tif 000016
【図１６】
0004613759.tif 000017
【図１７】
0004613759.tif 000018
【図１８】
0004613759.tif 000019
【図１９】
0004613759.tif 000020
【図２０】
0004613759.tif 000021
【図２１】
0004613759.tif 000022
【図２２】
0004613759.tif 000023
【図２３】
0004613759.tif 000024